(57)【要約】【課題】音声信号の送受信による遅延時間が少なく、且つ、レーダーパルス等の強いパルス性雑音の影響を回避できるワイヤレスマイク用ＯＦＤＭ送信装置及び受信装置を提供する。【解決手段】ワイヤレスマイク用ＯＦＤＭ送信装置は、音声信号をＯＦＤＭ変調方式により変調し、同一の音声信号を含むＯＦＤＭ信号を所定の時間間隔で複数回送信する。  ワイヤレスマイク用ＯＦＤＭ受信装置は、時間差を伴って得たＯＦＤＭ信号（シンボル）のうち、品質の良い信号を選択・合成し、又は復調処理後にデータの多数決判定を行って、パルス性雑音の影響を受けていない信号に基づいて前記音声信号を生成する。【選択図】図１
2015039159.tif 000002
【特許請求の範囲】
【請求項１】
デジタルの音声信号をＯＦＤＭ変調方式により送信するワイヤレスマイク用ＯＦＤＭ送信装置であって、
同一の音声信号を含む前記ＯＦＤＭ信号を所定時間間隔で複数回送信することを特徴とするワイヤレスマイク用ＯＦＤＭ送信装置。
【請求項２】
デジタルの音声信号をＯＦＤＭ変調方式により送信するワイヤレスマイク用ＯＦＤＭ送信装置であって、
デジタルの音声信号をブロック単位で入力し、外符号を生成する外符号符号化部と、
前記外符号符号化部出力を内符号符号化して、内符号を生成する内符号符号化部と、
前記内符号符号化部出力をＯＦＤＭ変調方式により変調してＯＦＤＭ信号を生成するＯＦＤＭ変調部とを備えたワイヤレスマイク用ＯＦＤＭ送信装置において、
前記ＯＦＤＭ変調部による変調段階より前に処理データを蓄積するデータ蓄積部と、
蓄積された前記処理データを所定の順で抽出するデータ抽出部とをさらに備え、
同一の音声信号を含む前記ＯＦＤＭ信号を所定時間間隔で複数回送信することを特徴とするワイヤレスマイク用ＯＦＤＭ送信装置。
【請求項３】
デジタルの音声信号をＯＦＤＭ変調方式により送信するワイヤレスマイク用ＯＦＤＭ送信装置であって、
デジタルの音声信号を蓄積するデータ蓄積部と、
前記データ蓄積部に蓄積された音声信号を抽出し、複数回繰り返して出力する多重化部と、
前記多重化部の出力データに対して誤り訂正の符号化を行う誤り訂正符号化部と、
前記誤り訂正符号化部の出力をＯＦＤＭ変調方式により変調してＯＦＤＭ信号を生成するＯＦＤＭ変調部とを備え、
同一の音声信号を含む前記ＯＦＤＭ信号を所定時間間隔で複数回送信することを特徴とするワイヤレスマイク用ＯＦＤＭ送信装置。
【請求項４】
請求項１〜３のいずれか一項に記載のワイヤレスマイク用ＯＦＤＭ送信装置において、アナログ／デジタル変換部によりデジタル化された音声信号を瞬時圧縮する瞬時圧縮部をさらに備えたことを特徴とするワイヤレスマイク用ＯＦＤＭ送信装置。
【請求項５】
請求項１〜３のいずれか一項に記載のワイヤレスマイク用ＯＦＤＭ送信装置において、アナログ／デジタル変換部によりデジタル化された音声信号をＡＤＰＣＭ（adaptive differential pulse code modulation：適応的差分パルス符号変調）処理により符号化するＡＤＰＣＭ符号化部をさらに備えたことを特徴とするワイヤレスマイク用ＯＦＤＭ送信装置。
【請求項６】
請求項１〜３のいずれか一項に記載のワイヤレスマイク用ＯＦＤＭ送信装置において、アナログ／デジタル変換部によりデジタル化された音声信号を瞬時圧縮する瞬時圧縮部と、アナログ／デジタル変換部によりデジタル化された音声信号をＡＤＰＣＭ（adaptive differential pulse code modulation：適応的差分パルス符号変調）処理により符号化するＡＤＰＣＭ符号化部と、前記瞬時圧縮部の出力と前記ＡＤＰＣＭ符号化部の出力とを選択する選択部とをさらに備えたことを特徴とするワイヤレスマイク用ＯＦＤＭ送信装置。
【請求項７】
請求項２に記載のワイヤレスマイク用ＯＦＤＭ送信装置において、前記外符号符号化部の前段にエネルギー拡散部を備えたことを特徴とするワイヤレスマイク用ＯＦＤＭ送信装置。
【請求項８】
請求項２に記載のワイヤレスマイク用ＯＦＤＭ送信装置において、前記外符号符号化部と内符号符号化部との間にエネルギー拡散部を備えたことを特徴とするワイヤレスマイク用ＯＦＤＭ送信装置。
【請求項９】
請求項３に記載のワイヤレスマイク用ＯＦＤＭ送信装置において、前記多重化部で音声信号に付加情報を付加し、伝送ビットレートを一定にすることにより、多種類の複数回送信に対して前記多重化部以降の処理を共通化することを特徴とするワイヤレスマイク用ＯＦＤＭ送信装置。
【請求項１０】
請求項２〜９のいずれか一項に記載のワイヤレスマイク用ＯＦＤＭ送信装置において、前記ＯＦＤＭ変調部は、時間インターリーブ部を備えていることを特徴とするワイヤレスマイク用ＯＦＤＭ送信装置。
【請求項１１】
請求項１〜１０のいずれか一項に記載のワイヤレスマイク用ＯＦＤＭ送信装置において、前記所定時間間隔を可変とすることを特徴とするワイヤレスマイク用ＯＦＤＭ送信装置。
【請求項１２】
デジタルの音声信号をＯＦＤＭ変調方式により変調したＯＦＤＭ信号を受信するワイヤレスマイク用ＯＦＤＭ受信装置であって、
同一の音声信号を含む前記ＯＦＤＭ信号を所定時間間隔で複数回受信し、パルス性雑音の影響を受けていない前記ＯＦＤＭ信号に基づいて前記音声信号を生成することを特徴とするワイヤレスマイク用ＯＦＤＭ受信装置。
【請求項１３】
デジタルの音声信号をＯＦＤＭ変調方式により変調したＯＦＤＭ信号を受信するワイヤレスマイク用ＯＦＤＭ受信装置であって、
前記ＯＦＤＭ信号を復調するＯＦＤＭ復調部と、
ＯＦＤＭ復調信号から内符号を復号する内符号復号部と、
前記内符号の復号の後に、外符号を復号する外符号復号部とを備えたワイヤレスマイク用ＯＦＤＭ受信装置において、
同一の音声信号を含む前記ＯＦＤＭ信号を所定時間間隔で複数回受信し、
受信した複数の同一の音声信号を含むＯＦＤＭ信号のうち、信号品質の良いものを選択又は合成して信号処理を行うことを特徴とするワイヤレスマイク用ＯＦＤＭ受信装置。
【請求項１４】
請求項１３に記載のワイヤレスマイク用ＯＦＤＭ受信装置において、受信した前記ＯＦＤＭ信号をＦＦＴ（Fast Fourier Transform：高速フーリエ変換）処理した後の信号について、信号品質を算出し、前記信号品質の良いものを選択又は合成して信号処理を行うことを特徴とするワイヤレスマイク用ＯＦＤＭ受信装置。
【請求項１５】
請求項１３に記載のワイヤレスマイク用ＯＦＤＭ受信装置において、前記内符号を復号した後の信号に基づいて、信号品質の良いものを選択又は合成して信号処理を行うことを特徴とするワイヤレスマイク用ＯＦＤＭ受信装置。
【請求項１６】
請求項１３に記載のワイヤレスマイク用ＯＦＤＭ受信装置において、前記外符号を復号した後の信号に基づいて、信号品質の良いものを選択又は合成して信号処理を行うことを特徴とするワイヤレスマイク用ＯＦＤＭ受信装置。
【請求項１７】
デジタルの音声信号をＯＦＤＭ変調方式により変調したＯＦＤＭ信号を受信するワイヤレスマイク用ＯＦＤＭ受信装置であって、
前記ＯＦＤＭ信号を復調するＯＦＤＭ復調部と、
ＯＦＤＭ復調された信号を誤り訂正の復号処理する誤り訂正復号部とを備え、
同一の音声信号を含む前記ＯＦＤＭ信号を所定時間間隔で複数回受信し、前記復号処理された信号について多数決判定を行うことを特徴とするワイヤレスマイク用ＯＦＤＭ受信装置。
【請求項１８】
請求項１２〜１７のいずれか一項に記載のワイヤレスマイク用ＯＦＤＭ受信装置において、データを瞬時伸張する瞬時伸張部をさらに備え、瞬時伸張されたデータをデジタル／アナログ変換して音声信号を出力することを特徴とするワイヤレスマイク用ＯＦＤＭ受信装置。
【請求項１９】
請求項１２〜１７のいずれか一項に記載のワイヤレスマイク用ＯＦＤＭ受信装置において、データをＡＤＰＣＭ（adaptive differential pulse code modulation：適応的差分パルス符号変調）処理により復号するＡＤＰＣＭ復号部をさらに備え、ＡＤＰＣＭ復号されたデータをデジタル／アナログ変換して音声信号を出力することを特徴とするワイヤレスマイク用ＯＦＤＭ受信装置。
【請求項２０】
請求項１２〜１７のいずれか一項に記載のワイヤレスマイク用ＯＦＤＭ受信装置において、データを瞬時伸張する瞬時伸張部と、データをＡＤＰＣＭ（adaptive differential pulse code modulation：適応的差分パルス符号変調）処理により復号するＡＤＰＣＭ復号部と、前記瞬時伸張部の出力と前記ＡＤＰＣＭ復号部の出力とを選択する選択部とをさらに備え、瞬時伸張された前記データとＡＤＰＣＭ復号された前記データのいずれかを、デジタル／アナログ変換して音声信号を出力することを特徴とするワイヤレスマイク用ＯＦＤＭ受信装置。
【請求項２１】
請求項１３〜１６のいずれか一項に記載のワイヤレスマイク用ＯＦＤＭ受信装置において、前記外符号復号部の後段にエネルギー逆拡散部を備えたことを特徴とするワイヤレスマイク用ＯＦＤＭ受信装置。
【請求項２２】
請求項１３〜１６のいずれか一項に記載のワイヤレスマイク用ＯＦＤＭ受信装置において、前記内符号復号部と前記外符号復号部の間にエネルギー逆拡散部を備えたことを特徴とするワイヤレスマイク用ＯＦＤＭ受信装置。
【請求項２３】
請求項１３〜２２のいずれか一項に記載のワイヤレスマイク用ＯＦＤＭ受信装置において、前記ＯＦＤＭ復調部は、時間デインターリーブ部を備えていることを特徴とするワイヤレスマイク用ＯＦＤＭ受信装置。
【請求項２４】
請求項１２〜２３のいずれか一項に記載のワイヤレスマイク用ＯＦＤＭ受信装置において、前記所定時間を可変とすることを特徴とするワイヤレスマイク用ＯＦＤＭ受信装置。
【請求項２５】
デジタルの音声信号をＯＦＤＭ変調方式により送受信するワイヤレスマイク用ＯＦＤＭ送受信方法であって、
ＯＦＤＭ送信側は、同一の音声信号を含む前記ＯＦＤＭ信号を所定時間間隔で複数回送信し、
ＯＦＤＭ受信側は、受信した複数の同一の音声信号を含む前記ＯＦＤＭ信号のうち、信号品質の良いものを選択又は合成して信号処理を行い、ＯＦＤＭ復調して前記音声信号を生成する、
ことを特徴とするワイヤレスマイク用ＯＦＤＭ送受信方法。
【請求項２６】
デジタルの音声信号をＯＦＤＭ変調方式により送受信するワイヤレスマイク用ＯＦＤＭ送受信方法であって、
ＯＦＤＭ送信側は、同一の音声信号を含む前記ＯＦＤＭ信号を所定時間間隔で複数回送信し、
ＯＦＤＭ受信側は、受信した複数の同一の音声信号を含む前記ＯＦＤＭ信号をＯＦＤＭ復調及び復号処理した後、多数決判定して前記音声信号を生成する、
ことを特徴とするワイヤレスマイク用ＯＦＤＭ送受信方法。
【発明の詳細な説明】
【技術分野】
【０００１】
本発明は、デジタルの音声信号をＯＦＤＭ（Orthogonal Frequency Division Multiplexing：直交周波数分割多重）変調方式により送受信するワイヤレスマイク用ＯＦＤＭ送信装置、受信装置及び送受信方法に関するものである。
【背景技術】
【０００２】
従来、ワイヤレスマイクの伝送方式として、アナログ方式とデジタル方式がある。非特許文献１には「特定ラジオマイクの陸上移動局の無線設備」について策定された標準規格が記されており、非特許文献２には「特定小電力無線局ラジオマイク用無線設備」について策定された標準規格が記されている。
【０００３】
また、ワイヤレスマイクについては伝送帯域幅についての標準規格も設定されており、非特許文献３には、欧州電気通信標準化機構（ＥＴＳＩ：European Telecommunications Standards Institute）の２５ＭＨｚ〜３ＧＨｚ帯のワイヤレスマイクに関する標準規格として、１ＧＨｚ未満の周波数帯では最大の伝送帯域幅を２００ｋＨｚとし、１ＧＨｚ以上の周波数帯では最大の伝送帯域幅を６００ｋＨｚとすることが定められている。
【０００４】
アナログ方式のワイヤレスマイクは、遅延時間が極めて少なく、現在広く用いられているが、障害物で途切れやすい、伝送距離が短い、干渉しやすいという問題がある。そのため、屋外やコンサートホールなどで高品質の音声を提供するには、デジタル方式のワイヤレスマイクを用いる必要がある。
【０００５】
例えば、特許文献１には、デジタル方式で音声を圧縮符号化して伝送するワイヤレスマイクシステムが開示されている。図３４はこのような従来のワイヤレスマイクシステムの構成を示すブロック図である。ワイヤレスマイク送信装置６０は、マイク６１と、Ａ／Ｄ変換部６２と、圧縮符号化部６３と、インターリーブ・誤り訂正部６４と、変調部６５と、Ｄ／Ａ変換部６６と、送信周波数変換部６７と、送信アンテナ６８とを備える。ワイヤレスマイク送信装置６０は、Ａ／Ｄ変換部６２によりマイク６１から入力されるアナログの音声信号をデジタル信号に変換し、圧縮符号化部６３によりデジタル信号を圧縮符号化し、インターリーブ・誤り訂正部６４によりインターリーブ及び誤り訂正を行う。続いて、ワイヤレスマイク送信装置６０は、変調部６５により例えばπ／４シフトＤＱＰＳＫ変調方式で変調し、Ｄ／Ａ変換部６６により変調信号をアナログ信号に変換し、送信周波数変換部６７により送信周波数に変換し、送信アンテナ６８に出力する。
【０００６】
ワイヤレスマイク受信装置７０は、受信アンテナ７１と、受信周波数変換部７２と、Ａ／Ｄ変換部７３と、復調部７４と、デインターリーブ・誤り訂正部７５と、伸張復号部７６と、Ｄ／Ａ変換部７７と、スピーカ７８とを備える。ワイヤレスマイク受信装置７０は、受信周波数変換部７２により受信アンテナ７１から入力される信号を周波数変換し、Ａ／Ｄ変換部７３によりデジタル信号に変換し、復調部７４により、送信側で変調された変調信号を復調し、デインターリーブ・誤り訂正部７５によりデインターリーブ及び誤り訂正を行う。続いて、ワイヤレスマイク受信装置７０は、伸張復号部７６により、送信側で圧縮された信号を伸張し、Ｄ／Ａ変換部７７により伸張信号をアナログ信号に変換し、スピーカ７８に出力する。
【０００７】
このようなデジタル方式のワイヤレスマイクは、アナログ方式と比較して音声を高品質に送受信できる。しかし、上記のような従来型のデジタル方式のワイヤレスマイクシステムでは、周波数帯域を節約するために、送信側で圧縮処理を行い、また受信側で圧縮処理された信号の伸張処理を行っており、これらの処理による遅延時間が生じている。
【０００８】
例えば、非特許文献４には、デジタルワイヤレストランスミッターの製品仕様の中に、音声遅延１．５ｍsecとの記載がある。また、非特許文献５には、デジタルワイヤレスレシーバーの製品仕様の中に、音声遅延１．９ｍsecとの記載がある。これらの製品では、送受合計で約３．４ｍsecの音声伝送遅延が生じている。これらの伝送遅延時間は、使用条件によっては出演者や演奏者に影響を与えると言われている。
【０００９】
また、ワイヤレスマイクを装着・携帯する出演者は、劇場やホールのステージに留まらず、場合によっては観客席や屋外など、移動しながらワイヤレスマイクを使用することが多い。これは、移動・携帯受信の伝搬環境となり、マルチパスやフェージング等が発生し、伝送品質が低下する課題があった。
【００１０】
このような従来型のデジタル方式によるワイヤレスマイクの課題を解消するため、音声信号の変調にＯＦＤＭ変調方式を利用することが検討されつつある。この変調方式により、音声信号の送受信による遅延時間を減少させ、且つ、マルチパスフェージングによる受信品質の低下を防止するワイヤレスマイク用ＯＦＤＭ送信装置、受信装置を実現することが期待されている。
【００１１】
また、一方で特定ラジオマイク（Ａ型ワイヤレスマイク）の周波数移行が求められており、新しい周波数帯域でのデジタル方式のワイヤレスマイクの検討も行われている。総務省より公表されている周波数再編アクションプランにおいて、７７０〜８０６ＭＨｚの特定ラジオマイク（ワイヤレスマイク）の移行先周波数帯は、地上テレビジョン放送用周波数帯のホワイトスペース等及び１．２ＧＨｚ帯（１２４０〜１２６０ＭＨｚ）とされている。非特許文献６によれば、この移行先周波数帯は、他システムと共用する周波数帯である。
【先行技術文献】
【特許文献】
【００１２】
【特許文献１】特開平１０−１５０６９２号公報
【非特許文献】
【００１３】
【非特許文献１】「特定ラジオマイクの陸上移動局の無線設備」、ＡＲＩＢ  ＲＣＲ  ＳＴＤ−２２、社団法人電波産業会
【非特許文献２】「特定小電力無線局ラジオマイク用無線設備」、ＡＲＩＢ  ＲＣＲ  ＳＴＤ−１５、社団法人電波産業会
【非特許文献３】欧州電気通信標準化機構  「ＥＴＳＩ  ＥＮ３００  ４２２−１」  [online]、[２０１３年３月２２日検索]、インターネット<URL: http://www.etsi.org/deliver/etsi_en/300400_300499/30042201/01.03.02_60/en_30042201v010302p.pdf>
【非特許文献４】デジタルワイヤレストランスミッター  DWT-B01/AB  仕様書  、[２０１３年３月２２日検索]、インターネット<URL : http://www.sony.jp/products/catalog/SPC_DWT-B01_AB.pdf>
【非特許文献５】デジタルワイヤレスレシーバー  DWR-R01D  仕様書  、[２０１３年３月２２日検索]、インターネット<URL : http://www.sony.jp/products/catalog/SPC_DWR-R01D.pdf>
【非特許文献６】総務省 電波利用ホームページ「我が国の電波利用状況」960〜3000MHzから抜粋、[２０１３年３月２２日検索]、インターネット<URL : http://www.tele.soumu.go.jp/resource/search/myuse/use/960m.pdf>
【発明の概要】
【発明が解決しようとする課題】
【００１４】
特定ラジオマイク（ワイヤレスマイク）の上記移行先周波数帯は、他システムと共用する周波数帯のため、他システムから干渉を受けて、信号の伝送品質が低下し、場合によっては、ラジオマイクとして運用できない可能性がある。例えば、移行先の１．２ＧＨｚ帯は、無線標定局（レーダー）との共用であり、レーダーパルスの干渉を受けることが予想される。
【００１５】
レーダーは、例えば、パルス幅が１６０μsec〜１９０μsecでピーク値が−２０〜−７５ｄＢｍ程度の強いパルスが、５〜１０ｍsec程度の周期で繰り返し発射される。したがって、ＯＦＤＭ変調方式のワイヤレスマイクであっても、レーダーパルス等の強いパルスによって、ノイズが発生することがある。
【００１６】
図１（ａ）は、ラジオマイクで使用されるＯＦＤＭシンボルとレーダーパルス信号の関係の一例を示した図である。例えば、シンボル長８３．３μsecのＯＦＤＭ変調方式を用いて送受信を行っている場合に、パルス幅１６０μsecの強力なパルス波（パルス性雑音）が受信入力に入ってくると、２〜３個のＯＦＤＭシンボルに跨るデータが影響を受け、干渉により音声遮断（プツプツ、ザッ、という雑音）が生じる。
【００１７】
従って、上記のような問題点に鑑みてなされた本発明の目的は、到来するレーダーパルスの影響を回避し、信号の伝送品質低下や音声遮断の生じない低遅延デジタルワイヤレスマイク用ＯＦＤＭ送信装置、受信装置及び送受信方法を提供することにある。
【課題を解決するための手段】
【００１８】
上記課題を解決するために、本発明は、時間ダイバーシティを利用するものであって、送信側で音声データをＯＦＤＭ変調方式により変調し、ＯＦＤＭ信号（シンボル）を時間差を付けて複数回送信するとともに、受信側では、時間差を伴って得たＯＦＤＭ信号（シンボル）のうち、品質の良い信号を選択・合成し、又は復調処理後にデータの多数決判定を行って、パルス性雑音の影響を受けていない信号に基づいて前記音声信号を生成するものである。
【００１９】
本発明に係るワイヤレスマイク用ＯＦＤＭ送信装置は、デジタルの音声信号をＯＦＤＭ変調方式により送信するワイヤレスマイク用ＯＦＤＭ送信装置であって、同一の音声信号を含む前記ＯＦＤＭ信号を所定時間間隔で複数回送信することを特徴とする。
【００２０】
本発明に係るワイヤレスマイク用ＯＦＤＭ送信装置は、デジタルの音声信号をＯＦＤＭ変調方式により送信するワイヤレスマイク用ＯＦＤＭ送信装置であって、デジタルの音声信号をブロック単位で入力し、外符号を生成する外符号符号化部と、前記外符号符号化部出力を内符号符号化して、内符号を生成する内符号符号化部と、前記内符号符号化部出力をＯＦＤＭ変調方式により変調してＯＦＤＭ信号を生成するＯＦＤＭ変調部とを備えたワイヤレスマイク用ＯＦＤＭ送信装置において、前記ＯＦＤＭ変調部による変調段階より前に処理データを蓄積するデータ蓄積部と、蓄積された前記処理データを所定の順で抽出するデータ抽出部とを更に備え、同一の音声信号を含む前記ＯＦＤＭ信号を所定時間間隔で複数回送信することを特徴とする。
【００２１】
また、本発明に係るワイヤレスマイク用ＯＦＤＭ送信装置は、デジタルの音声信号をＯＦＤＭ変調方式により送信するワイヤレスマイク用ＯＦＤＭ送信装置であって、デジタルの音声信号を蓄積するデータ蓄積部と、前記データ蓄積部に蓄積された音声信号を抽出し、複数回繰り返して出力する多重化部と、前記多重化部の出力データに対して誤り訂正の符号化を行う誤り訂正符号化部と、前記誤り訂正符号化部の出力をＯＦＤＭ変調方式により変調してＯＦＤＭ信号を生成するＯＦＤＭ変調部とを備え、同一の音声信号を含む前記ＯＦＤＭ信号を所定時間間隔で複数回送信することを特徴とする。
【００２２】
また、本発明に係るワイヤレスマイク用ＯＦＤＭ送信装置は、アナログ／デジタル変換部によりデジタル化された音声信号を瞬時圧縮する瞬時圧縮部をさらに備えることが望ましい。
【００２３】
また、本発明に係るワイヤレスマイク用ＯＦＤＭ送信装置は、アナログ／デジタル変換部によりデジタル化された音声信号をＡＤＰＣＭ（adaptive differential pulse code modulation：適応的差分パルス符号変調）処理により符号化するＡＤＰＣＭ符号化部をさらに備えることが望ましい。
【００２４】
また、本発明に係るワイヤレスマイク用ＯＦＤＭ送信装置は、アナログ／デジタル変換部によりデジタル化された音声信号を瞬時圧縮する瞬時圧縮部と、アナログ／デジタル変換部によりデジタル化された音声信号をＡＤＰＣＭ（adaptive differential pulse code modulation：適応的差分パルス符号変調）処理により符号化するＡＤＰＣＭ符号化部と、前記瞬時圧縮部の出力と前記ＡＤＰＣＭ符号化部の出力とを選択する選択部とをさらに備えることが望ましい。
【００２５】
また、本発明に係るワイヤレスマイク用ＯＦＤＭ送信装置は、前記外符号符号化部の前段にエネルギー拡散部を備えることが望ましい。
【００２６】
また、本発明に係るワイヤレスマイク用ＯＦＤＭ送信装置は、前記外符号符号化部と内符号符号化部との間にエネルギー拡散部を備えることが望ましい。
【００２７】
また、本発明に係るワイヤレスマイク用ＯＦＤＭ送信装置は、前記多重化部で音声信号に付加情報を付加し、伝送ビットレートを一定にすることにより、多種類の複数回送信に対して前記多重化部以降の処理を共通化することが望ましい。
【００２８】
また、本発明に係るワイヤレスマイク用ＯＦＤＭ送信装置は、前記ＯＦＤＭ変調部が、時間インターリーブ部を備えていることが望ましい。
【００２９】
また、本発明に係るワイヤレスマイク用ＯＦＤＭ送信装置は、前記所定時間間隔を可変とすることが望ましい。
【００３０】
本発明に係るワイヤレスマイク用ＯＦＤＭ受信装置は、デジタルの音声信号をＯＦＤＭ変調方式により変調したＯＦＤＭ信号を受信するワイヤレスマイク用ＯＦＤＭ受信装置であって、同一の音声信号を含む前記ＯＦＤＭ信号を所定時間間隔で複数回受信し、パルス性雑音の影響を受けていない前記ＯＦＤＭ信号に基づいて前記音声信号を生成することを特徴とする。
【００３１】
本発明に係るワイヤレスマイク用ＯＦＤＭ受信装置は、デジタルの音声信号をＯＦＤＭ変調方式により変調したＯＦＤＭ信号を受信するワイヤレスマイク用ＯＦＤＭ受信装置であって、前記ＯＦＤＭ信号を復調するＯＦＤＭ復調部と、ＯＦＤＭ復調信号から内符号を復号する内符号復号部と、前記内符号の復号の後に、外符号を復号する外符号復号部とを備えたワイヤレスマイク用ＯＦＤＭ受信装置において、同一の音声信号を含む前記ＯＦＤＭ信号を所定時間間隔で複数回受信し、受信した複数の同一の音声信号を含むＯＦＤＭ信号のうち、信号品質の良いものを選択又は合成して信号処理を行うことを特徴とする。
【００３２】
また、本発明に係るワイヤレスマイク用ＯＦＤＭ受信装置は、受信した前記ＯＦＤＭ信号をＦＦＴ（Fast Fourier Transform：高速フーリエ変換）処理した後の信号について、信号品質を算出し、前記信号品質の良いものを選択又は合成して信号処理を行うことが望ましい。
【００３３】
また、本発明に係るワイヤレスマイク用ＯＦＤＭ受信装置は、前記内符号を復号した後の信号に基づいて、信号品質の良いものを選択又は合成して信号処理を行うことが望ましい。
【００３４】
また、本発明に係るワイヤレスマイク用ＯＦＤＭ受信装置は、前記外符号を復号した後の信号に基づいて、信号品質の良いものを選択又は合成して信号処理を行うことが望ましい。
【００３５】
また、本発明に係るワイヤレスマイク用ＯＦＤＭ受信装置は、デジタルの音声信号をＯＦＤＭ変調方式により変調したＯＦＤＭ信号を受信するワイヤレスマイク用ＯＦＤＭ受信装置であって、前記ＯＦＤＭ信号を復調するＯＦＤＭ復調部と、ＯＦＤＭ復調された信号を誤り訂正の復号処理する誤り訂正復号部とを備え、同一の音声信号を含む前記ＯＦＤＭ信号を所定時間間隔で複数回受信し、前記復号処理された信号について多数決判定を行うことを特徴とする。
【００３６】
また、本発明に係るワイヤレスマイク用ＯＦＤＭ受信装置は、データを瞬時伸張する瞬時伸張部をさらに備え、瞬時伸張されたデータをデジタル／アナログ変換して音声信号を出力することが望ましい。
【００３７】
また、本発明に係るワイヤレスマイク用ＯＦＤＭ受信装置は、データをＡＤＰＣＭ（adaptive differential pulse code modulation：適応的差分パルス符号変調）処理により復号するＡＤＰＣＭ復号部をさらに備え、ＡＤＰＣＭ復号されたデータをデジタル／アナログ変換して音声信号を出力することが望ましい。
【００３８】
また、本発明に係るワイヤレスマイク用ＯＦＤＭ受信装置は、データを瞬時伸張する瞬時伸張部と、データをＡＤＰＣＭ（adaptive differential pulse code modulation：適応的差分パルス符号変調）処理により復号するＡＤＰＣＭ復号部と、前記瞬時伸張部の出力と前記ＡＤＰＣＭ復号部の出力とを選択する選択部とをさらに備え、瞬時伸張された前記データとＡＤＰＣＭ復号された前記データのいずれかを、デジタル／アナログ変換して音声信号を出力することが望ましい。
【００３９】
また、本発明に係るワイヤレスマイク用ＯＦＤＭ受信装置は、前記外符号復号部の後段にエネルギー逆拡散部を備えることが望ましい。
【００４０】
また、本発明に係るワイヤレスマイク用ＯＦＤＭ受信装置は、前記内符号復号部と前記外符号復号部の間にエネルギー逆拡散部を備えることが望ましい。
【００４１】
また、本発明に係るワイヤレスマイク用ＯＦＤＭ受信装置は、前記ＯＦＤＭ復調部が、時間デインターリーブ部を備えていることが望ましい。
【００４２】
また、本発明に係るワイヤレスマイク用ＯＦＤＭ受信装置は、前記所定時間を可変とすることが望ましい。
【００４３】
また、本発明に係るワイヤレスマイク用ＯＦＤＭ送受信方法は、デジタルの音声信号をＯＦＤＭ変調方式により送受信するワイヤレスマイク用ＯＦＤＭ送受信方法であって、ＯＦＤＭ送信側は、同一の音声信号を含む前記ＯＦＤＭ信号を所定時間間隔で複数回送信し、ＯＦＤＭ受信側は、受信した複数の同一の音声信号を含む前記ＯＦＤＭ信号のうち、信号品質の良いものを選択又は合成して信号処理を行い、ＯＦＤＭ復調して前記音声信号を生成する、ことを特徴とする。
【００４４】
また、本発明に係るワイヤレスマイク用ＯＦＤＭ送受信方法は、デジタルの音声信号をＯＦＤＭ変調方式により送受信するワイヤレスマイク用ＯＦＤＭ送受信方法であって、  ＯＦＤＭ送信側は、同一の音声信号を含む前記ＯＦＤＭ信号を所定時間間隔で複数回送信し、ＯＦＤＭ受信側は、受信した複数の同一の音声信号を含む前記ＯＦＤＭ信号をＯＦＤＭ復調及び復号処理した後、多数決判定して前記音声信号を生成する、ことを特徴とする。
【発明の効果】
【００４５】
本発明におけるワイヤレスマイク用ＯＦＤＭ送信装置、受信装置及び送受信方法によれば、レーダー到来環境下であっても、レーダーパルスによる影響を回避し、雑音や音声遮断が生じない低遅延デジタルラジオマイク伝送を可能とする。
【図面の簡単な説明】
【００４６】
【図１】本発明の課題とその解決手段の概要を示す概念図である。
【図２】実施例１のワイヤレスマイク用ＯＦＤＭ送信装置のブロック図である。
【図３】実施例２のワイヤレスマイク用ＯＦＤＭ送信装置のブロック図である。
【図４】実施例３のワイヤレスマイク用ＯＦＤＭ送信装置のブロック図である。
【図５】実施例４のワイヤレスマイク用ＯＦＤＭ送信装置のブロック図である。
【図６】実施例５のワイヤレスマイク用ＯＦＤＭ送信装置のブロック図である。
【図７】実施例６のワイヤレスマイク用ＯＦＤＭ送信装置のブロック図である。
【図８】実施例７のワイヤレスマイク用ＯＦＤＭ送信装置のブロック図である。
【図９】ワイヤレスマイク用ＯＦＤＭ送信装置に用いる時間インターリーブ回路の構成図である。
【図１０】実施例８のワイヤレスマイク用ＯＦＤＭ受信装置のブロック図である。
【図１１】実施例９のワイヤレスマイク用ＯＦＤＭ受信装置のブロック図である。
【図１２】実施例１０のワイヤレスマイク用ＯＦＤＭ受信装置のブロック図である。
【図１３】実施例１１のワイヤレスマイク用ＯＦＤＭ受信装置のブロック図である。
【図１４】実施例１２のワイヤレスマイク用ＯＦＤＭ受信装置のブロック図である。
【図１５】実施例１３のワイヤレスマイク用ＯＦＤＭ受信装置のブロック図である。
【図１６】実施例１４のワイヤレスマイク用ＯＦＤＭ受信装置のブロック図である。
【図１７】実施例１５のワイヤレスマイク用ＯＦＤＭ受信装置のブロック図である。
【図１８】実施例１６のワイヤレスマイク用ＯＦＤＭ受信装置のブロック図である。
【図１９】実施例１７のワイヤレスマイク用ＯＦＤＭ受信装置のブロック図である。
【図２０】実施例１８のワイヤレスマイク用ＯＦＤＭ受信装置のブロック図である。
【図２１】実施例１９のワイヤレスマイク用ＯＦＤＭ受信装置のブロック図である。
【図２２】実施例２０のワイヤレスマイク用ＯＦＤＭ受信装置のブロック図である。
【図２３】実施例２１のワイヤレスマイク用ＯＦＤＭ受信装置のブロック図である。
【図２４】実施例２２のワイヤレスマイク用ＯＦＤＭ受信装置のブロック図である。
【図２５】実施例２３のワイヤレスマイク用ＯＦＤＭ受信装置のブロック図である。
【図２６】実施例２４のワイヤレスマイク用ＯＦＤＭ受信装置のブロック図である。
【図２７】実施例２５のワイヤレスマイク用ＯＦＤＭ受信装置のブロック図である。
【図２８】実施例２６のワイヤレスマイク用ＯＦＤＭ受信装置のブロック図である。
【図２９】実施例２７のワイヤレスマイク用ＯＦＤＭ受信装置のブロック図である。
【図３０】実施例７のワイヤレスマイク用ＯＦＤＭ送信装置の伝送パラメータの一例である。
【図３１】実施例７のワイヤレスマイク用ＯＦＤＭ送信装置の伝送パラメータの別の例である。
【図３２】実施例７のワイヤレスマイク用ＯＦＤＭ送信装置の伝送パラメータの別の例である。
【図３３】実施例７のワイヤレスマイク用ＯＦＤＭ送信装置の伝送パラメータの別の例である。
【図３４】従来のワイヤレスマイクシステムの構成を示すブロック図である。
【発明を実施するための形態】
【００４７】
以下、本発明の実施の形態について説明する。
【００４８】
図１（ｂ）は本発明の課題解決手段である時間ダイバーシティについて説明する概念図である。一般に、時間ダイバーシティは、時間をずらして同じ内容を送信することで、ダイバーシティ効果を得る方法である。
【００４９】
図１（ｂ）において、上段がＡ／Ｄ変換後の音声データ、中段がデータ圧縮後の音声データ、下段がＯＦＤＭ変調時のデータの組合せを示す。ＯＦＤＭ変調方式として、次のようなＯＦＤＭ変調方式を一例として説明する。
・シンボル長８３．３μsec（有効シンボル長７８．４μsec）
・キャリア間隔１２．７５ｋＨｚ
・キャリア総数４６
・伝送帯域幅５８６．５ｋＨｚ
【００５０】
まず、音声信号をＡ／Ｄ変換部において、デジタル変換する。音声信号の情報源符号化（サンプリング）は、例えば、サンプリング周波数として、４８ｋＨｚが利用され、量子化ビット長としては、２４ｂｉｔが利用される。
【００５１】
２４ｂｉｔの音声データを瞬時圧縮又はＡＤＰＣＭ（adaptive differential pulse code modulation：適応的差分パルス符号変調）により、データ量を例えば半分の１２ｂｉｔに圧縮（情報量削減）する。この圧縮により例えば８サンプリング分のデータが、上記ＯＦＤＭ変調による１つのＯＦＤＭシンボルで伝送できる。データ圧縮をしない伝送であれば、４サンプリング分のデータを１つのＯＦＤＭシンボル（すなわち、８サンプリング分のデータを２つのＯＦＤＭシンボル）で伝送するが、データ量を半分に圧縮したことにより、時間遅れを生じることなく、同じＯＦＤＭシンボルを２回送信することができ、時間ダイバーシティが可能となる。
【００５２】
同じＯＦＤＭシンボルを送信する際は、レーダーパルスとの干渉があったとしても、少なくとも一方のＯＦＤＭシンボルは影響を受けない程度にＯＦＤＭシンボルの送信タイミングをずらすことが必要であり、また、他方、受信側では２つの同じＯＦＤＭシンボルを受信後にデータ処理を行なうため、送受信時間を短くするためには、できるだけ両者の送信タイミングを近づけることが必要である。
【００５３】
したがって、レーダーパルス（パルス性雑音）の影響を回避し、且つ、送受信遅れを最小限にするため、１つのレーダーパルスにより影響を受ける最大のＯＦＤＭシンボル期間を単位に、データ送信を繰り返すことが望ましい。図１（ａ）に示すように、例えば、シンボル長８３．３μsecのＯＦＤＭシンボルに対してパルス幅１６０μsecのレーダーパルスが存在するとき、１つのレーダーパルスで最大連続した３シンボルが影響を受けるから、３個のＯＦＤＭシンボルを単位に（すなわち、同一の音声信号を含むＯＦＤＭシンボルの間に他の２つのＯＦＤＭシンボルを挟んで）、データの送信を繰り返すことになる。なお、マイクの送受信遅延が許される範囲であれば、同一の音声信号を含むＯＦＤＭシンボルを送信する間隔をさらに広げることも可能である。
【００５４】
また、データ誤りを排除するため、同じＯＦＤＭシンボルを３回以上繰り返して送信することも可能である。この場合は、データ圧縮がさらに必要であり音声品質が劣化するデメリットがあるが、受信したデータに基づいて多数決判定を有効に利用でき、全体としてデータを確実に受信することができる。また、バーストノイズに強い等のメリットがある。ＯＦＤＭシンボルの繰り返し回数や繰返し周期は、求められる性能に応じて適宜選択することが望ましい。音声品質とデータの遅延時間を考慮すると、同一データを２回送信することが効率的であり、以下の実施例では、２回の送信を主として説明を行う。
【００５５】
なお、後に詳しく説明するが、受信側では、２つの同じＯＦＤＭシンボルデータを比較し、品質の良い方を選択したり、或いは、品質が悪い信号を除去し、受信できたデータを合成して品質改善をしたり、様々な手法により２つの同じＯＦＤＭシンボルデータを有効に利用することができる。
【００５６】
図１（ｂ）を参照すると、サンプリング番号１〜８の音声データが、番号１〜８の圧縮後データとなり、最初のＯＦＤＭシンボル（０シンボル）に変調されて送信される。同様に、サンプリング番号９〜１６の音声データが、番号９〜１６の圧縮後データとなり、次のＯＦＤＭシンボル（１シンボル）に変調されて送信され、サンプリング番号１７〜２４の音声データが、番号１７〜２４の圧縮後データとなり、３番目のＯＦＤＭシンボル（２シンボル）に変調されて送信される。その後、４番目のＯＦＤＭシンボル（３シンボル）として最初のＯＦＤＭシンボル（０シンボル）と同一のデータが再度送信され、５番目のＯＦＤＭシンボル（４シンボル）として２番目のＯＦＤＭシンボル（１シンボル）と同一のデータが、また、６番目のＯＦＤＭシンボル（５シンボル）として３番目のＯＦＤＭシンボル（２シンボル）と同一のデータが再度送信される。次いで、サンプリング番号２５〜３２の音声データが、番号２５〜３２の圧縮後データとなり、７番目のＯＦＤＭシンボル（６シンボル）に変調されて送信され（図示せず）、以下、これを繰り返すこととなる。
【００５７】
なお、図１では、最初のＯＦＤＭシンボル（０シンボル）の送信が、サンプリング番号１３の音声データのタイミングから始まっているが、これは、サンプリング番号１７〜２４の音声データと、３番目のＯＦＤＭシンボル（２シンボル）の送信時期の関係を考慮したものであり、各音声データの信号処理時間と、対応するＯＦＤＭシンボルの送信時期を考慮して、全体のデータ送信タイミングを適宜調整し、制御することができる。
【００５８】
図１においては、レーダーパルス（パルス幅１６０μsec）により最大連続３個のＯＦＤＭシンボルが干渉を受けるが、上記のような２回のデータ伝送を行うことにより、少なくとも一方のＯＦＤＭシンボルはパルスと重なることが無いから、受信側で信号品質の良いデータを選択することにより、レーダーパルスの影響を回避できる。なお、レーダーパルスのパルス幅が広い場合は、同一データを送信する間隔をさらに広げ、繰り返し単位となる期間がレーダーパルス幅より長くなるようにすればよい。
【００５９】
（実施の形態１）
本発明の時間ダイバーシティを実現するＯＦＤＭ送信装置を、実施の形態１として説明する。
【実施例１】
【００６０】
図２は、本発明の実施例１に係るワイヤレスマイク用ＯＦＤＭ送信装置１０１の構成を示すブロック図である。実施例１のＯＦＤＭ送信装置１０１は、瞬時圧伸処理によりデータの圧縮と伸張を行う方式の送信装置である。
【００６１】
図２に示すように、ＯＦＤＭ送信装置１０１は、Ａ／Ｄ変換部１１と、瞬時圧縮部１２と、エネルギー拡散部１３と、外符号符号化部１４と、内符号符号化部１５と、データ蓄積部１６と、データ抽出部１７と、キャリア変調部１８と、周波数インターリーブ部１９と、ＯＦＤＭフレーム構成部２０と、ＩＦＦＴ（Inverse Fast Fourier Transform）部２１と、Ｄ／Ａ変換部２２と、周波数変換部２３と、送信アンテナ２４とを備える。これらの構成のうち、キャリア変調部１８と、周波数インターリーブ部１９と、ＯＦＤＭフレーム構成部２０と、ＩＦＦＴ部２１は、ＩＦＦＴ部２１の後の図示しないガードインターバル付加部を含めて、ＯＦＤＭ変調部を構成する。
【００６２】
各構成要素について説明する。Ａ／Ｄ変換部１１は、マイクから入力されるアナログの音声信号をデジタル信号に変換し、瞬時圧縮部１２に出力する。音声信号の情報源符号化（サンプリング）は、サンプリング周波数として、例えば、４８ｋＨｚ又は３２ｋＨｚが利用される。量子化ビット長としては、例えば２４ｂｉｔや１６ｂｉｔが利用される。
【００６３】
瞬時圧縮部１２は、入力されたデジタル信号（例えば２４ビット）を瞬時圧縮し、例えばデータ量を半分にして１２ビットのデジタル信号に変換する。瞬時圧縮は、予め２４ｂｉｔ→１２ｂｉｔ圧伸則を定めておき、その対応関係に従ってデータの圧縮をする方法であり、時間遅延を生じることなく、直ちにデータ圧縮をすることができる。また、２４ｂｉｔで量子化を行った後、不要な下位の８ｂｉｔの情報を削除し、その後に１６ｂｉｔ→１２ｂｉｔの圧伸則に従ってデータの圧縮をしても良い。なお、データの圧縮率は１／２に限られるものではなく、デジタル音声信号を遅延が生じることなく２回データ送信できる範囲で、適切なデータ量に圧縮を行うことができる。瞬時圧縮部１２で圧縮された信号は、エネルギー拡散部１３に出力される。
【００６４】
エネルギー拡散部１３は、音声情報の偏りによりＯＦＤＭの特定のキャリアにエネルギーが集中しないように、外符号符号化部１３の出力信号を、擬似ランダム信号等を用いてランダム化する。
【００６５】
外符号符号化部１４は、データを所定のブロック長のブロックに区切り、ブロックごとにパリティビットを付加する。ＲＳ（リード・ソロモン）符号、ＢＣＨ符号、差集合巡回符号、あるいは、ＣＲＣ符号により、ブロック符号化を行って外符号を生成し、内符号符号化部１５に出力する。これは、受信側で誤り訂正を行うため、或いは誤り検出を行い、誤ったブロックに対してコンシールメントを行うためである。例えば、ＢＣＨ符号を用いることで、遅延時間を少なくすることができる。例えば、ＲＳ（２０４，１８８）符号の場合、符号１ブロックに含まれるビット数は、２０４Ｂｙｔｅ＝１６３２ｂｉｔであり、符号化及び復号による遅延時間は１３１０μｓとなる。これに対し、ＢＣＨ（１４４，１２８）符号の場合、符号１ブロックに含まれるビット数が１４４ｂｉｔであり、符号化及び復号による遅延時間は１１５μｓである。なお、ここでのブロックは、１つのＯＦＤＭシンボルで送信できるビット数のデータの集合である。ただし、外符号符号化は、複数の誤り訂正符号を組み合わせた連接符号のときの処理であって、連接符号ではない場合は、外符号符号化部１４は省略してもよい。
【００６６】
内符号符号化部１５は、外符号符号化部１４から入力される信号を内符号化（例えば、畳み込み符号化）し、内符号を生成してデータ蓄積部１６に出力する。
【００６７】
ここで、ブロック単位での処理を遅延の発生なく行う条件について、補足的に説明する。デジタルの音声信号をブロック単位で入力し、ブロックごとに処理を行う場合、外符号符号化部１４による外符号の符号長をＮｏとすると、外符号符号化部１４から出力される１ブロックあたりのデータ量ａは、Ｎｏ（単位はビット）と等しい。また、内符号符号化部１５による内符号化率をＲｉ、後のキャリア変調部１８における変調方式の変調多値数をＭ、ＯＦＤＭ信号のデータキャリア数をＮｄとすると、ＯＦＤＭ信号１シンボルあたりのデータ量ｂは、Ｒｉ×Ｍ×Ｎｄ（単位はビット）で表される。
【００６８】
ここで、ａ＝ｂの場合、外符号符号化部１４からブロック単位で処理するごとに出力される符号長のａビットと、内符号符号化部１５及びＯＦＤＭ変調部にてシンボル単位で処理すべきデータ量のｂビットが等しいため、外符号符号化部１４から出力されるａビット（＝ｂビット）のデータを直ちに内符号符号化処理、ＯＦＤＭ変調処理を実行することができる。そこで、符号長Ｎｏが次式（１）を満たすようにパラメータを設定する。
【００６９】
Ｎｏ＝Ｒｉ×Ｍ×Ｎｄ                                                    （１）
【００７０】
Ｎｏ＝Ｒｉ×Ｍ×Ｎｄとなるようにパラメータを設定することにより、ＯＦＤＭ信号を連続して生成することができるため、送信レート調整用のバッファメモリは不要となり、外符号符号化部１４に入力されるデータに対する、内符号符号化部１５及びＯＦＤＭ変調部から出力されるデータの遅延を少なくすることができる。なお、このようなパラメータ設定は、以降の実施例においても、同様に設定できる。
【００７１】
次に、データ蓄積部１６は、外符号符号化及び内符号符号化が終了し、キャリア変調を行う前のブロック単位のデータである内符号出力を蓄積する。このデータ蓄積部１６は、今回の時間ダイバーシティを行うにあたり、同じ音声信号を含むＯＦＤＭ信号（シンボル）を複数回（例えば２回）効率的に送信するために必要となる構成であり、複数回のデータ送信が終了するまでブロック単位のデータを蓄積しておく。なお、データ蓄積部１６は、キャリア変調を行う前のどの段階のデータを保持しても良く、瞬時圧縮部１２の出力データを保持してもよい。しかし、同一の音声信号を含むＯＦＤＭ信号（シンボル）を効率的に複数回送信するためには、キャリア変調を行う前の内符号出力を蓄積することが効率的である。
【００７２】
データ抽出部１７は、データ蓄積部１６に蓄積されているブロック単位のデータである内符号出力を、所定の順番で抽出し、キャリア変調部１８に出力する。図１（ｂ）の同一の音声信号を含むデータの送信のインターバル（同一の音声信号を含むＯＦＤＭ信号間の間隔）を２個分のＯＦＤＭシンボル期間とする場合を例とすれば、第１ブロック（内符号出力）、第２ブロック、第３ブロックの順でデータを抽出した後、再び、第１ブロック、第２ブロック、第３ブロックの順でデータを抽出し、その後、第４ブロック、第５ブロック・・・の順でデータを抽出し、キャリア変調部１８に出力する。また、同一の音声信号を含むデータの送信のインターバルが１個分のＯＦＤＭシンボル期間で良い場合には、第１ブロック、第２ブロック、第１ブロック、第２ブロック、第３ブロック、第４ブロック、第３ブロック、第４ブロック・・・の順でデータを抽出すれば良いこととなる。なお、様々なレーダーパルス幅に対応するため、データ抽出部１７は、外部からの操作により、データ抽出の順番（すなわち、同じデータを次に送るまでのインターバル）を調整できる機能を有することが望ましい。
【００７３】
キャリア変調部１８は、その内部に図示しないビットインターリーブ部とマッピング部を備えており、データ抽出部１７から入力される信号（内符号）に対し、ビットローテーション等の大きな時間遅れを生じさせないビット単位でのデータの並び替え（ビットインターリーブ）を行い、その後、キャリアごとに所定の変調方式（変調多値数Ｍ）に応じてＩＱ平面へのマッピングを行い、キャリア変調信号を生成し、周波数インターリーブ部１９に出力する。
【００７４】
周波数インターリーブ部１９は、特定の搬送波が妨害を受けた場合の耐性を向上させるために、本来隣接しているシンボルのキャリア番号を並び替え、データを周波数的に分散するものである。周波数的に分散するように並び替えたデータをＯＦＤＭフレーム構成部２０に出力する。なお、移動受信時の伝送特性を改善する目的、例えばＯＦＤＭ信号の帯域全体が同時に減衰するようなフラットフェージング環境下では、周波数インターリーブの効果が得られないため、周波数インターリーブ部１９の後段に、時間的にデータを分散させる時間インターリーブ部（図示せず）を挿入し、強力な伝送路符号化としてもよい。
【００７５】
ＯＦＤＭフレーム構成部２０は、周波数インターリーブ部１９から入力される信号に対して、パイロット信号を挿入して配置することによりＯＦＤＭフレームを生成し、ＩＦＦＴ部２１に出力する。パイロット信号は、信号生成時の振幅及び位相が既知であるため、受信側において伝送路特性を推定することができる。ＯＦＤＭフレーム構成部２０は、パイロット信号として、分散して配置されるＳＰ（Scattered Pilot）信号に加え、シンボル方向に連続して配置されるＣＰ（Continual Pilot）信号を挿入してもよい。また、制御情報を伝送するための信号であるＴＭＣＣ（Transmission and Multiplexing Configuration Control）信号を挿入してもよい。ＯＦＤＭフレーム構成は、例えば、総キャリア数４６（データキャリア数３９又は４０）のものが利用されるが、他の総キャリア数のものを利用しても良い。
【００７６】
ＩＦＦＴ部２１は、ＯＦＤＭフレーム構成部２０から入力されるＯＦＤＭフレームに対して、ＩＦＦＴ（Inverse Fast Fourier Transform：逆高速フーリエ変換）処理を施して有効シンボル期間のＩＦＦＴ出力信号を生成する。なお、ＩＦＦＴ部２１で生成されたＩＦＦＴ出力信号は、図示しないガードインターバル付加部に出力され、ガードインターバル付加部は、ＩＦＦＴ部２１から入力される有効シンボル期間のＩＦＦＴ出力信号の先頭に、ＩＦＦＴ出力信号の後半部分をコピーしたガードインターバルを挿入する。ガードインターバルは、ＯＦＤＭ信号を受信する際にシンボル間干渉を低減させるために挿入されるものであり、マルチパス遅延波の遅延時間がガードインターバル長を超えないように設定される。
【００７７】
Ｄ／Ａ変換部２２は、作成されたＯＦＤＭシンボル信号に対して、デジタル／アナログ変換をする。
【００７８】
周波数変換部２３は、Ｄ／Ａ変換部２２によりアナログ信号化されたデータを送信周波数に変換する。
【００７９】
その後、送信周波数に変換された信号を、電力増幅して送信アンテナ２４から送信する。このように、実施例１の瞬時圧伸処理のＯＦＤＭ送信装置１０１が構成され、信号処理が行われる。
【実施例２】
【００８０】
図３は、本発明の実施例２に係るワイヤレスマイク用ＯＦＤＭ送信装置１０２の構成を示すブロック図である。図２における実施例１のＯＦＤＭ送信装置１０１と同じ構成ブロックは、実施例１と同じ符号を付し、説明を簡略化する。
【００８１】
実施例２に係るワイヤレスマイク用ＯＦＤＭ送信装置１０２は、実施例１のＯＦＤＭ送信装置１０１の構成と比較して、エネルギー拡散部１３と外符号符号化部１４の順序が逆になっている点が相違する。
【００８２】
図３に示すように、ＯＦＤＭ送信装置１０２は、Ａ／Ｄ変換部１１と、瞬時圧縮部１２と、外符号符号化部１４と、エネルギー拡散部１３と、内符号符号化部１５と、データ蓄積部１６と、データ抽出部１７と、キャリア変調部１８と、周波数インターリーブ部１９と、ＯＦＤＭフレーム構成部２０と、ＩＦＦＴ部２１と、Ｄ／Ａ変換部２２と、周波数変換部２３と、送信アンテナ２４とを備える。これらの構成のうち、キャリア変調部１８と、周波数インターリーブ部１９と、ＯＦＤＭフレーム構成部２０と、ＩＦＦＴ部２１は、ＩＦＦＴ部２１の後の図示しないガードインターバル付加部を含めて、ＯＦＤＭ変調部を構成することは、実施例１と同じである。
【００８３】
各構成要素および外符号符号化部１４の省略、時間インターリーブ部（図示せず）については実施例１と同じであり説明を省略する。
【００８４】
エネルギー拡散部１３において、外符号符号化部１４で付加されたパリティビットと音声データを含めた信号を拡散することができるので、実施例１よりもデータ（エネルギー）の片寄りを減らすことが可能となる。
【実施例３】
【００８５】
図４は、本発明の実施例３に係るワイヤレスマイク用ＯＦＤＭ送信装置１０３の構成を示すブロック図である。実施例３のＯＦＤＭ送信装置１０３は、ＡＤＰＣＭ（adaptive differential pulse code modulation：適応的差分パルス符号変調）処理によりデータの圧縮（符号化）と復元（復号）を行う方式の送信装置である。図２における実施例１のＯＦＤＭ送信装置１０１と同じ構成ブロックは、実施例１と同じ符号を付し、説明を簡略化する。
【００８６】
実施例３に係るワイヤレスマイク用ＯＦＤＭ送信装置１０３は、実施例１のＯＦＤＭ送信装置１０１の構成と比較して、データ圧縮処理部が瞬時圧縮部１２からＡＤＰＣＭ符号化部２５となっている点が相違する。
【００８７】
図４に示すように、ＯＦＤＭ送信装置１０３は、Ａ／Ｄ変換部１１と、ＡＤＰＣＭ符号化部２５と、エネルギー拡散部１３と、外符号符号化部１４と、内符号符号化部１５と、データ蓄積部１６と、データ抽出部１７と、キャリア変調部１８と、周波数インターリーブ部１９と、ＯＦＤＭフレーム構成部２０と、ＩＦＦＴ部２１と、Ｄ／Ａ変換部２２と、周波数変換部２３と、送信アンテナ２４とを備える。これらの構成のうち、キャリア変調部１８と、周波数インターリーブ部１９と、ＯＦＤＭフレーム構成部２０と、ＩＦＦＴ部２１は、ＩＦＦＴ部２１の後の図示しないガードインターバル付加部を含めて、ＯＦＤＭ変調部を構成することは、実施例１と同じである。
【００８８】
各構成要素について説明する。Ａ／Ｄ変換部１１の機能は、実施例１（図２）と同じであり、マイクから入力されるアナログの音声信号をデジタル信号に変換し、ＡＤＰＣＭ符号化部２５に出力する。
【００８９】
ＡＤＰＣＭ符号化部２５は、入力されたデジタル信号（例えば２４ビット）を符号化（データ圧縮）し、例えば１２ビットのデジタル信号に変換する。なお、圧縮後のデータ量は１２ビットに限られるものではなく、デジタル音声信号を遅延が生じることなく２回データ送信できる範囲で、適切なデータ量に圧縮を行うことができる。ＡＤＰＣＭは、過去に復号された信号標本と現在の信号標本との差分信号を符号化する差分パルス符号変調（ＤＰＣＭ、差分ＰＣＭ）を改良した方法であって、適応予測及び適応量子化を利用し、量子化幅を変化させて効率的なデータ圧縮を行うものである。当該技術分野において一般的なデータ圧縮技術であるので、詳細な説明は省くが、ＡＤＰＣＭ符号化処理を利用することより、時間遅延を生じることなくデータ圧縮をすることができる。ＡＤＰＣＭ符号化部２５で圧縮された信号は、エネルギー拡散部１３に出力される。
【００９０】
その後の信号処理は、実施例１と同様である。エネルギー拡散部１３による出力信号のランダム化処理、外符号符号化部１４によるブロックごとのパリティビットを付加する外符号符号化処理、内符号符号化部１５による内符号の生成処理を経て、データ蓄積部１６にキャリア変調を行う前のブロック単位のデータである内符号出力を蓄積する。実施例１と同様に、連接符号ではない場合は、外符号符号化部１４は省略してもよく、また蓄積するデータはキャリア変調を行う前のどの段階のデータを保持しても良く、ＡＤＰＣＭ符号化部２５の出力データを保持してもよい。データ抽出部１７で、データ蓄積部１６に蓄積されているブロック単位のデータを所定の順番で抽出してキャリア変調部１８に出力し、次いで、キャリア変調部１８でのビットインターリーブ及びＩＱ平面へのマッピングによるキャリア変調信号生成、周波数インターリーブ部１９による隣接データの周波数的な並び替え処理、ＯＦＤＭフレーム構成部２０によるＯＦＤＭフレーム生成、ＩＦＦＴ部２１でのＩＦＦＴ処理による有効シンボル期間のＩＦＦＴ出力信号生成、ガードインターバルの挿入によるＯＦＤＭシンボル信号生成、Ｄ／Ａ変換部２２によるＯＦＤＭシンボル信号に対するデジタル／アナログ変換、周波数変換部２３による送信周波数への変換を行い、電力増幅して送信アンテナ２４からＯＦＤＭ変調信号を送信する。なお、移動受信時の伝送特性を改善する目的、例えばＯＦＤＭ信号の帯域全体が同時に減衰するようなフラットフェージング環境下では、周波数インターリーブの効果が得られないため、周波数インターリーブ部１９の後段に、時間的にデータを分散させる時間インターリーブ部（図示せず）を挿入し、強力な伝送路符号化としてもよい。
【００９１】
このように、実施例３のＡＤＰＣＭ処理のＯＦＤＭ送信装置１０３が構成され、信号処理が行われる。
【実施例４】
【００９２】
図５は、本発明の実施例４に係るワイヤレスマイク用ＯＦＤＭ送信装置１０４の構成を示すブロック図である。図４における実施例３のＯＦＤＭ送信装置１０３と同じ構成ブロックは、実施例３と同じ符号を付し、説明を簡略化する。
【００９３】
実施例４に係るワイヤレスマイク用ＯＦＤＭ送信装置１０４は、実施例３のＯＦＤＭ送信装置１０３の構成と比較して、エネルギー拡散部１３と外符号符号化部１４の順序が逆になっている点が相違する。
【００９４】
図５に示すように、ＯＦＤＭ送信装置１０４は、Ａ／Ｄ変換部１１と、ＡＤＰＣＭ符号化部２５と、外符号符号化部１４と、エネルギー拡散部１３と、内符号符号化部１５と、データ蓄積部１６と、データ抽出部１７と、キャリア変調部１８と、周波数インターリーブ部１９と、ＯＦＤＭフレーム構成部２０と、ＩＦＦＴ部２１と、Ｄ／Ａ変換部２２と、周波数変換部２３と、送信アンテナ２４とを備える。これらの構成のうち、キャリア変調部１８と、周波数インターリーブ部１９と、ＯＦＤＭフレーム構成部２０と、ＩＦＦＴ部２１は、ＩＦＦＴ部２１の後の図示しないガードインターバル付加部を含めて、ＯＦＤＭ変調部を構成することは、実施例３と同じである。
【００９５】
各構成要素および外符号符号化部１４の省略、時間インターリーブ部（図示せず）については実施例３と同じであり説明を省略する。
【００９６】
エネルギー拡散部１３において、外符号符号化部１４で付加されたパリティビットと音声データを含めた信号を拡散することができるので、実施例３よりもデータ（エネルギー）の片寄りを減らすことが可能となる。
【実施例５】
【００９７】
図６は、本発明の実施例５に係るワイヤレスマイク用ＯＦＤＭ送信装置１０５の構成を示すブロック図である。実施例５のＯＦＤＭ送信装置１０５は、デジタル音声信号のデータ圧縮手段について、瞬時圧縮処理とＡＤＰＣＭ符号化処理とを選択可能にした方式の送信装置である。図２における実施例１のＯＦＤＭ送信装置１０１及び図４における実施例３のＯＦＤＭ送信装置１０３と同じ構成ブロックは、実施例１，３と同じ符号を付し、説明を簡略化する。
【００９８】
実施例５に係るワイヤレスマイク用ＯＦＤＭ送信装置１０５は、実施例１のＯＦＤＭ送信装置１０１の構成と比較して、データ圧縮処理部が瞬時圧縮部１２とＡＤＰＣＭ部２５と選択部２６を備えている点が相違する。
【００９９】
図６に示すように、ＯＦＤＭ送信装置１０５は、Ａ／Ｄ変換部１１と、瞬時圧縮部１２と、ＡＤＰＣＭ符号化部２５と、選択部２６と、エネルギー拡散部１３と、外符号符号化部１４と、内符号符号化部１５と、データ蓄積部１６と、データ抽出部１７と、キャリア変調部１８と、周波数インターリーブ部１９と、ＯＦＤＭフレーム構成部２０と、ＩＦＦＴ部２１と、Ｄ／Ａ変換部２２と、周波数変換部２３と、送信アンテナ２４とを備える。これらの構成のうち、キャリア変調部１８と、周波数インターリーブ部１９と、ＯＦＤＭフレーム構成部２０と、ＩＦＦＴ部２１は、ＩＦＦＴ部２１の後の図示しないガードインターバル付加部を含めて、ＯＦＤＭ変調部を構成することは、実施例１，３と同じである。
【０１００】
各構成要素について説明する。Ａ／Ｄ変換部１１の機能は、実施例１（図２）と同じであり、マイクから入力されるアナログの音声信号をデジタル信号に変換し、瞬時圧縮部１２及びＡＤＰＣＭ符号化部２５に出力する。
【０１０１】
瞬時圧縮部１２は、実施例１と同様に、予め定めた圧伸則の対応関係に従ってデータの瞬時圧縮をし、選択部２６に出力する。また、ＡＤＰＣＭ符号化部２５は、実施例３と同様に、入力されたデジタル信号に対してＡＤＰＣＭ符号化処理を行うことより、時間遅延を生じることなくデータ圧縮をし、選択部２６に出力する。
【０１０２】
選択部２６は、図示しない外部からの信号により、瞬時圧縮部１２で処理された圧縮データと、ＡＤＰＣＭ符号化部２５で処理された圧縮データのうち、いずれか一方を選択してエネルギー拡散部１３に出力する。
【０１０３】
その後の信号処理は、実施例１及び実施例３と同様である。エネルギー拡散部１３による出力信号のランダム化処理、外符号符号化部１４によるブロックごとのパリティビットを付加する外符号符号化処理、内符号符号化部１５による内符号の生成処理を経て、データ蓄積部１６にキャリア変調を行う前のブロック単位のデータである内符号を蓄積する。実施例１と同様に、連接符号ではない場合は、外符号符号化部１４は省略してもよく、また蓄積するデータはキャリア変調を行う前のどの段階のデータを保持しても良く、瞬時圧縮部１２の出力データを保持してもよいし、ＡＤＰＣＭ符号化部２５の出力データを保持してもよいし、選択部２６の出力データを保持してもよい。データ抽出部１７で、データ蓄積部１６に蓄積されているブロック単位のデータを所定の順番で抽出してキャリア変調部１８に出力し、次いで、キャリア変調部１８でのビットインターリーブ及びＩＱ平面へのマッピングによるキャリア変調信号生成、周波数インターリーブ部１９による隣接データの周波数的な並び替え処理、ＯＦＤＭフレーム構成部２０によるＯＦＤＭフレーム生成、ＩＦＦＴ部２１でのＩＦＦＴ処理による有効シンボル期間のＩＦＦＴ出力信号生成、ガードインターバルの挿入によるＯＦＤＭシンボル信号生成、Ｄ／Ａ変換部２２によるＯＦＤＭシンボル信号に対するデジタル／アナログ変換、周波数変換部２３による送信周波数への変換を行い、電力増幅して送信アンテナ２４からＯＦＤＭ変調信号を送信する。なお、移動受信時の伝送特性を改善する目的、例えばＯＦＤＭ信号の帯域全体が同時に減衰するようなフラットフェージング環境下では、周波数インターリーブの効果が得られないため、周波数インターリーブ部１９の後段に、時間的にデータを分散させる時間インターリーブ部（図示せず）を挿入し、強力な伝送路符号化としてもよい。
【０１０４】
このように、実施例５の圧縮手段選択型のＯＦＤＭ送信装置１０５が構成され、信号処理が行われる。
【実施例６】
【０１０５】
図７は、本発明の実施例６に係るワイヤレスマイク用ＯＦＤＭ送信装置１０６の構成を示すブロック図である。図６における実施例５のＯＦＤＭ送信装置１０５と同じ構成ブロックは、実施例５と同じ符号を付し、説明を簡略化する。
【０１０６】
実施例６に係るワイヤレスマイク用ＯＦＤＭ送信装置１０６は、実施例５のＯＦＤＭ送信装置１０５の構成と比較して、エネルギー拡散部１３と外符号符号化部１４の順序が逆になっている点が相違する。
【０１０７】
図７に示すように、ＯＦＤＭ送信装置１０６は、Ａ／Ｄ変換部１１と、瞬時圧縮部１２と、ＡＤＰＣＭ符号化部２５と、選択部２６と、外符号符号化部１４と、エネルギー拡散部１３と、内符号符号化部１５と、データ蓄積部１６と、データ抽出部１７と、キャリア変調部１８と、周波数インターリーブ部１９と、ＯＦＤＭフレーム構成部２０と、ＩＦＦＴ部２１と、Ｄ／Ａ変換部２２と、周波数変換部２３と、送信アンテナ２４とを備える。これらの構成のうち、キャリア変調部１８と、周波数インターリーブ部１９と、ＯＦＤＭフレーム構成部２０と、ＩＦＦＴ部２１は、ＩＦＦＴ部２１の後の図示しないガードインターバル付加部を含めて、ＯＦＤＭ変調部を構成することは、実施例５と同じである。
【０１０８】
各構成要素および外符号符号化部１４の省略、時間インターリーブ部（図示せず）については実施例５と同じであり説明を省略する。
【０１０９】
エネルギー拡散部１３において、外符号符号化部１４で付加されたパリティビットと音声データを含めた信号を拡散することができるので、実施例５よりもデータ（エネルギー）の片寄りを減らすことが可能となる。
【０１１０】
なお、実施例１〜６では、音声信号の品質を高めるためＡ／Ｄ変換部１１において大きな量子化ビット長（２４ビット）でデジタル化し、その後にデータ圧縮又は符号化を行ったが、予め小さい量子化ビット長でＡ／Ｄ変換を行い、データ圧縮又は符号化をすることなく、以降の信号処理を行うことも可能である。
【実施例７】
【０１１１】
図８は、本発明の実施例７に係るワイヤレスマイク用ＯＦＤＭ送信装置１０７の構成を示すブロック図である。実施例７のＯＦＤＭ送信装置１０７は、実施例１〜６のＯＦＤＭ送信装置と回路構成が異なっており、送信装置が情報源符号化部Ａと伝送路符号化部Ｂに分かれている。
【０１１２】
図８に示すように、ＯＦＤＭ送信装置１０７は、Ａ／Ｄ変換部１１と、音声圧縮部１２，２５，２６と、データ蓄積部１６と、多重化部２７と、エネルギー拡散部１３と、誤り訂正符号化部２８と、キャリア変調部１８と、周波数インターリーブ部１９と、ＯＦＤＭフレーム構成部２０と、ＩＦＦＴ（Inverse Fast Fourier Transform）部２１と、ガードインターバル付加部２９とを備える。これらの構成のうち、Ａ／Ｄ変換部１１と、音声圧縮部１２，２５，２６と、データ蓄積部１６と、多重化部２７は、情報源符号化部Ａを構成する。また、エネルギー拡散部１３と、誤り訂正符号化部２８と、キャリア変調部１８と、周波数インターリーブ部１９と、ＯＦＤＭフレーム構成部２０と、ＩＦＦＴ部２１と、ガードインターバル付加部２９は、伝送路符号化部Ｂを構成する。なお、キャリア変調部１８と、周波数インターリーブ部１９と、ＯＦＤＭフレーム構成部２０と、ＩＦＦＴ部２１と、ガードインターバル付加部２９は、ＯＦＤＭ変調部を構成する。
【０１１３】
各構成要素について説明する。Ａ／Ｄ変換部１１は、これまで説明されたものと同じであり、例えば、サンプリング周波数４８ｋＨｚ、量子化ビット長２４ｂｉｔで、音声信号の情報源符号化（サンプリング）を行う。
【０１１４】
音声圧縮部１２，２５，２６は、その符号からも明らかなように、これまで説明した各種の音声データの圧縮手段を総括的に表記したものである。すなわち、音声圧縮部は、瞬時圧縮部１２であり、又は、ＡＤＰＣＭ符号化部２５であり、又は、瞬時圧縮部１２とＡＤＰＣＭ符号化部２５と選択部２６から構成されるデータ圧縮手段が選択可能な圧縮部である。これらのいずれかの構成とすることができる。また、他の適切なデータ圧縮手段を採用しても良い。さらに、情報源符号化処理においてサンプリングの情報量を小さくすることにより、音声圧縮部を省略することもできる。音声圧縮部１２，２５，２６で圧縮された信号は、データ蓄積部１６に出力される。
【０１１５】
データ蓄積部１６は、これまで説明されたものとその構成は同じである。しかしながら、実施例７の送信装置１０７では、エネルギー拡散も符号化処理も行われていないデータ圧縮されたままの音声信号データを蓄積する。蓄積されたデータは、多重化部２７に出力される。
【０１１６】
多重化部２７は、データ蓄積部１６に蓄積されている圧縮済みの音声データを所定の順番で抽出し、指定された回数繰り返して、すなわち、多重化してシリアルデータを作成する。また、後段の伝送路符号化部Ｂで共通の処理が可能となるよう、情報ビットレートを一定にするための付加情報を音声データに付加する。例えば、伝送路符号化部Ｂで１２４８ｋｂｐｓの情報ビットレートを前提とした符号化処理が予定されており、時間ダイバーシティとして２回の繰り返し送信を行いたいとき、量子化ビット数２４ｂｉｔ、サンプリング周波数４８ｋＨｚのデジタル音声データに対して、情報圧縮率１／２の音声圧縮を行い、１２ｂｉｔに圧縮された音声データをデータ蓄積部１６に蓄積しておく。多重化部２７は、１２ｂｉｔに圧縮されたデータを抽出して、所定の周期で２回繰り返すと共に、１２ｂｉｔ×２の音声データあたり、２ｂｉｔの付加情報を選択して付加する。これにより、音声レートは５７６ｋｂｐｓ×２となり、付加情報レートは９６ｋｂｐｓとなって、全体の情報ビットレートが１２４８ｋｂｐｓとなる。同様に、時間ダイバーシティとして３回の繰り返し送信を行いたいとき、量子化ビット数２４ｂｉｔ、サンプリング周波数４８ｋＨｚのデジタル音声データに対して、情報圧縮率１／３の音声圧縮を行い、８ｂｉｔに圧縮された音声データをデータ蓄積部１６に蓄積しておく。多重化部２７は、８ｂｉｔに圧縮されたデータを抽出して、所定の周期で３回繰り返すと共に、８ｂｉｔ×３の音声データあたり、２ｂｉｔの付加情報を選択して付加する。これにより、音声レートは３８４ｋｂｐｓ×３となり、付加情報レートは９６ｋｂｐｓとなって、全体の情報ビットレートが１２４８ｋｂｐｓとなる。このように、付加情報ビット数を選択することにより、伝送路符号化部Ｂに送る情報ビットレートを一定にでき、その後の処理の共通化が可能となる。なお、この付加情報は、単純に情報ビットレートの調整に利用しても良いが、さらに、例えば、パリティビットとして利用したり、繰り返し回数を示す情報を持たせる等、様々な情報を持ったデータとすることもできる。また、多重化部２７は、必要に応じてデータのブロック化も行う。
【０１１７】
エネルギー拡散部１３は、これまで説明されたものと同じであり、多重化部２７の出力信号を、擬似ランダム信号等を用いてランダム化する。
【０１１８】
誤り訂正符号化部２８は、エネルギー拡散部１３から入力される信号に対して、例えば、畳み込み符号化等を行い、その後データ誤りが発生しても訂正できるように符号化をする。誤り訂正符号化部２８は、他の実施例の内符号符号化部１５と等しい働きをする。符号化したデータはキャリア変調部１８に出力する。
【０１１９】
キャリア変調部１８は、これまで説明されたものと同じであり、その内部にビットインターリーブ部１８１とマッピング部１８２を備えており、誤り訂正符号化部２８から入力される信号に対し、ビットローテーション等の大きな時間遅れを生じさせないビット単位でのデータの並び替え（ビットインターリーブ）を行い、その後、キャリアごとに所定の変調方式（変調多値数Ｍ）に応じてＩＱ平面へのマッピングを行い、キャリア変調信号を生成し、周波数インターリーブ部１９に出力する。
【０１２０】
周波数インターリーブ部１９は、これまで説明されたものと同じであり、キャリア番号を並び替え、周波数的に分散したデータをＯＦＤＭフレーム構成部２０に出力する。なお、移動受信時の伝送特性を改善する目的、例えばＯＦＤＭ信号の帯域全体が同時に減衰するようなフラットフェージング環境下では、周波数インターリーブの効果が得られないため、周波数インターリーブ部１９の後段に、時間的にデータを分散させる時間インターリーブ部（図示せず）を挿入し、強力な伝送路符号化としてもよい。
【０１２１】
ＯＦＤＭフレーム構成部２０は、これまで説明されたものと同じであり、周波数インターリーブ部１９から入力される信号に対して、ＳＰ（Scattered Pilot）信号、ＣＰ（Continual Pilot）信号、及びＴＭＣＣ（Transmission and Multiplexing Configuration Control）信号を挿入して配置することによりＯＦＤＭフレームを生成し、ＩＦＦＴ部２１に出力する。なお、時間ダイバーシティの伝送方式においては、データの複数送り回数（繰り返し回数）や、送り周期の情報を、ＴＭＣＣ信号の中の情報として設定することが望ましい。
【０１２２】
ＩＦＦＴ部２１は、これまで説明されたものと同じであり、ＯＦＤＭフレーム構成部２０から入力されるＯＦＤＭフレームに対して、ＩＦＦＴ（Inverse Fast Fourier Transform：逆高速フーリエ変換）処理を施してＩＦＦＴ出力信号を生成する。
【０１２３】
ガードインターバル付加部２９は、ＩＦＦＴ部２１から入力されるＩＦＦＴ出力信号の先頭に、有効シンボル期間のＩＦＦＴ出力信号の後半部分をコピーしたガードインターバルを挿入する。これにより、送信すべきＯＦＤＭシンボル信号が生成される。このエネルギー拡散部１３からガードインターバル付加部２９までの処理を、伝送路符号化部Ｂとして共通化できる。
【０１２４】
なお、その後は、図示しないＤ／Ａ変換部により、作成されたＯＦＤＭシンボル信号に対して、デジタル／アナログ変換をし、さらに、図示しない周波数変換部によりアナログ信号化されたデータを送信周波数に変換する。その後、送信周波数に変換された信号を、電力増幅して送信アンテナから送信する。このように、実施例７のＯＦＤＭ送信装置１０７が構成され、信号処理が行われる。
【０１２５】
ところで、信号伝送において、フェージングや干渉に対する耐性を向上させるため、データを時間軸上で分散させること、すなわち、時間インターリーブを利用することができる。同じデータを繰り返して送信する時間ダイバーシティに代わり、許容できる範囲で時間インターリーブを行うことは、ノイズ対策として有効である。また、時間ダイバーシティと時間インターリーブを組み合わせることも有効である。時間インターリーブは、畳み込みインターリーブを用いる。図９（ａ）に時間インターリーブ回路の構成を示す。当該回路において、各バッファに対して入力及び出力を順次切り替えることにより、時間インターリーブされたデータが得られる。
【０１２６】
図９（ａ）で、ｍｉは例えば、mi = (i×5) mod 39 とする。ｎｃは、データキャリアの本数（この例では３９）、ｉはシンボル内キャリア番号を示す。シンボルバッファのＩ×ｍｉの値が整数でない場合は、小数点以下を切り上げて整数とする。
【０１２７】
時間インターリーブ長は、図９（ｂ）に示すようにセル長（Ｉ）の値を変えることで６種類のパラメータを選択できる。時間インターリーブ後のフレームの先頭は、一番遅延されたデータが入っているシンボルの先頭とする。
【０１２８】
（実施の形態２）
以下に、本発明の時間ダイバーシティを実現するＯＦＤＭ受信装置を、実施の形態２として説明する。
【実施例８】
【０１２９】
図１０は、本発明の実施例８に係るワイヤレスマイク用ＯＦＤＭ受信装置２０１の構成を示すブロック図である。実施例８のＯＦＤＭ受信装置２０１は、瞬時圧伸処理によりデータの圧縮と伸張を行う方式の受信装置であり、さらに、受信信号のＭＥＲ（Modulation Error Ratio ：変調誤差比）や雑音電力等で信号の品質比較を行う受信装置である。
【０１３０】
図１０に示すように、ＯＦＤＭ受信装置２０１は、少なくとも１系統のＦＦＴ（Fast Fourier Transform）部３０（３０１〜３０４）と、遅延器３１（３１１〜３１４）と、信号品質算出部３２（３２１〜３２８）と、復調部５０（５０１〜５０８）と、比較・選択・合成部３３と、コンシールメント部３９と、瞬時伸張部４０と、Ｄ／Ａ変換部４１とを備える。このうち復調部５０（５０１〜５０８）は、周波数デインターリーブ部３４と、キャリア復調部３５と、内符号復号部３６と、外符号復号部３７と、エネルギー逆拡散部３８とから成る。なお、図１０においては、４系統のダイバーシティ（いわゆる空間ダイバーシティ）受信を行っているために、４つのＦＦＴ部３０を備えており、これらの出力を比較・選択・合成しているが、これは一例であってＦＦＴ部は２系統でも１系統でも、適切なものを選択すればよい。これらの構成のうち、ＦＦＴ部３０、周波数デインターリーブ部３４と、キャリア復調部３５は、ＯＦＤＭ復調部を構成する。なお、ＯＦＤＭ復調部は、ＦＦＴ部３０の前に、それぞれ図示しないガードインターバル除去部を備えている。また、図では省略されているが、アンテナから受信された受信信号は、受信周波数変換部により中間周波数に変換され、Ａ／Ｄ変換部でデジタル信号に変換し、ガードインターバル除去処理がされた後、ＦＦＴ部３０に入力されることは、当該技術分野において自明のことである。
【０１３１】
各構成要素について説明する。ＦＦＴ部３０（３０１〜３０４）は、受信後にデジタル化されガードインターバルが除去された信号に対してＦＦＴ（Fast Fourier Transform：高速フーリエ変換）処理を施す。この実施例８においては、ＦＦＴ部３０の出力信号は、遅延器３１（３１１〜３１４）と信号品質算出部３２（３２１，３２３，３２５，３２７）とに出力する。
【０１３２】
遅延器３１（３１１〜３１４）は、時間ダイバーシティとして１回目に送信されたＯＦＤＭ信号（シンボル）と２回目に送信されたＯＦＤＭ信号（シンボル）のタイミング調整を行うために設けられており、送信装置側で設定された同一の音声信号を含む信号の再送間隔に対応した信号遅延（例えば、図１（ｂ）の例であれば、３ＯＦＤＭシンボル期間に相当する遅延）を生じさせて信号を出力する。なお、送信側でのＯＦＤＭ信号（シンボル）の様々な再送間隔に対応できるように、遅延器３１の遅延時間を外部より調整できる機能を有することが望ましい。
【０１３３】
信号品質算出部３２（３２１〜３２８）は、ＦＦＴ処理後の信号（遅延器３１を経た信号も含む）に対して、ＭＥＲ（Modulation Error Ratio ：変調誤差比）や雑音電力等をそれぞれ算出し、その信号の品質を示すデータとして比較・選択・合成部３３に出力する。また、ＦＦＴ処理後の信号は、復調部５０（５０１〜５０８）に送られる。
【０１３４】
復調部５０（５０１〜５０８）は、それぞれ、周波数デインターリーブ部３４と、キャリア復調部３５と、内符号復号部３６と、外符号復号部３７と、エネルギー逆拡散部３８とから成る。送信側で時間インターリーブが施されている場合は、ＦＦＴ部３０（３０１〜３０４）の出力信号を時間デインターリーブ部（図示せず）に入力し、時間デインターリーブを行った後に周波数デインターリーブ部３４に入力される。周波数デインターリーブ部３４は、ＦＦＴ部３０（３０１〜３０４）処理後の信号（遅延器３１を経た信号も含む）に対して、周波数デインターリーブ処理を行い、周波数的に並び替えられたデータを元に戻す。
【０１３５】
キャリア復調部３５は、周波数デインターリーブ部３４から入力される信号に対して、キャリアごとに復調を行い、内符号復号部３６に出力する。復調する際には、ＳＰ信号を抽出し、基準値（既知の振幅と位相）と比較することにより、ＳＰ信号の存在するキャリアの伝送路特性を算出し、算出した伝送路特性を時間方向および周波数方向に補間し、全てのＯＦＤＭキャリアの伝送路特性の推定値を算出する。キャリア復調部３５は、その内部に図示しないデマッピング部とビットデインターリーブ部を備えており、推定された伝送路特性に基づいて、図示しないデマッピング部でＩ信号値とＱ信号値を得て、ビット単位のデータに復調する。また、図示しないビットデインターリーブ部において、送信側のキャリア変調部１８においてビット単位で並べ替えたデータを、元の配列に戻す。
【０１３６】
内符号復号部３６は、キャリア復調部３５から入力される信号を内符号復号処理する。内符号復号部３６は、ビタビ復号等の復号化処理では復号・訂正しきれないデータが生じた場合、後述するコンシールメント部３９に対して、どの音声信号のブロックに誤りが含まれているかとの情報を有する「誤り情報」を送信するように構成することができる。
【０１３７】
次に、外符号復号部３７は、送信側で付加した誤り訂正符号を利用して、誤り訂正又は誤り検出を行う。伝送路において生じた誤りが離散的であれば、誤り訂正符号を利用して、誤りを正確に訂正することが可能である。しかしながら、時間的に連続するバーストノイズが発生した場合には、誤り訂正符号を利用しても、外符号復号部３７でデータ復元ができなくなる場合がある。このような場合は、外符号復号部３７は、誤り訂正符号を利用して復号・訂正処理したデータとともに、訂正しきれなかったデータの情報、すなわち、どのブロックに誤りが含まれているかとの情報を有する「誤り情報」をコンシールメント部３９に送る。また、ＣＲＣ符号を利用して、誤りの有無を「エラーフラグ」として出力することも有効な手段である。なお、連接符号ではない場合は、外符号復号部３７は省略してよい。
【０１３８】
エネルギー逆拡散部３８は、エネルギー逆拡散を施して、元の信号出力に戻し、比較・選択・合成部３３に出力する。
【０１３９】
比較・選択・合成部３３は、信号品質算出部３２（３２１〜３２８）から出力された信号品質データとしてのＭＥＲや雑音電力等を比較し、各系統の復調部５０を経た信号から品質の良い信号を選択し、必要に応じて信号の合成を行う。信号の合成を行うことにより利得を得ることができる。比較・選択・合成部３３の処理としては、例えば、（１）ＭＥＲが最大の信号を選択して出力する処理、（２）所定の値以上のＭＥＲを示す信号を選択して、選択された信号を最大比合成により合成して出力する処理、（３）雑音電力が最小の信号を選択して出力する処理、（４）所定の値以下の雑音電力を示す信号を選択して、選択された信号を最大比合成により合成して出力する処理、等が想定されるが適切な手段を選択して処理を行うことができる。なお、上記（２）の処理を選択する場合、「所定の値以上のＭＥＲ」として受信可能な信号品質にある信号を全て選択するように設定することもできる。同様に上記（４）の処理を選択する場合、「所定の値以下の雑音電力」として受信可能な信号品質（CN比）にある信号をすべて選択するように設定することもできる。レーダーパルス等の影響を受けた場合には、ＦＦＴ部３０から直接出力された系統の信号と、遅延器３２を経た系統の信号のどちらか一方のみが選択される。結果として、パルス性雑音の影響を受けていないＯＦＤＭ信号に基づいて音声信号を生成することができる。また、どちらの信号もレーダーパルスの干渉を受けていない場合には、８系統の信号を合成して利得を得ることができ、従来と比較して感度が高く、品質の良い受信が可能となる。比較・選択・合成部３３により選択又は合成された信号は、コンシールメント部３９に出力される。
【０１４０】
コンシールメント部３９は、内符号復号部３６及び／又は外符号復号部３７から送られた誤り情報に基づいて、訂正できなかった誤りデータに対してコンシールメント処理を行う。なお、「コンシールメント」とは、誤りデータを正確に元のデータに訂正するのではなく、当該誤りデータを他の値で代替することにより修正又は修復することを意味する。これにより、実質的なデータの訂正効果を得ることができる。誤り情報は、内符号復号部３６と外符号復号部３７の少なくとも一方から送られるようにすれば良く、直前の外符号復号部３７から送られた誤り情報に基づいてコンシールメント処理を行うのが効率的である。
【０１４１】
コンシールメント処理としては、次のようなものが考えられ、いずれか最適な処理を選択すれば良い。
１）データが誤りの場合、誤りが発生する直前の値を保持する。
２）データが誤りの場合、一定値を挿入する。
３）データが誤りの場合、零値を挿入する。
４）データが誤りの場合、一定値を挿入して、帯域制限フィルタ処理を施す。
５）データが誤りの場合、零値を挿入して、帯域制限フィルタ処理を施す。
６）データが誤りの場合、前後のデータで線形補間を行う。
ここで、帯域制限フィルタ処理は、音声帯域である２０Ｈｚ〜２０ｋＨｚのバンドパスフィルタを通過させることにより、不自然な信号データを除去する処理である。
【０１４２】
このようなコンシールメント処理を行った後、コンシールメント部３９は、データを瞬時伸張部４０に出力する。
【０１４３】
瞬時伸張部４０は、入力されたデジタル信号（例えば１２ビット）を瞬時伸張し、例えば２４ビットのデジタル信号に変換する。この瞬時伸張には、予め設定した圧伸則を用いることにより、時間遅延を生じることなくデータの伸張処理ができる。瞬時伸張部４０で伸張された信号は、Ｄ／Ａ変換部４１に出力される。
【０１４４】
Ｄ／Ａ変換部４１は、伸張されたデジタルデータを、デジタル／アナログ変換し、アナログ音声信号を出力する。
【０１４５】
なお、図１０では、コンシールメント処理を行った後に瞬時伸張を行っているが、コンシールメント部３９と瞬時伸張部４０との配置を入れ替えて、瞬時伸張を行ったデータに対してコンシールメント処理を行うこともできる。
【０１４６】
このように実施の形態２にかかるＯＦＤＭ受信装置によれば、時間ダイバーシティにより複数回送信されたＯＦＤＭシンボル信号のうち、信号品質が良好な信号を利用して復調・復号処理を行うことにより、ノイズの無い音声出力を得ることができる。
【０１４７】
ここで、２回送信されたＯＦＤＭ信号の処理について補足する。本発明の送受信方法では、同じＯＦＤＭ信号（シンボル）のデータのうち、１回目のデータと２回目のデータの区別を受信装置側で判断する必要がある。また、同じＯＦＤＭの１フレームで様々な信号の繰り返し間隔に対応する必要がある。その解決法の一例として、ＯＦＤＭ変調の１フレームを６０シンボルとする。６０という数字は、２，３，４，５の最小公倍数であり、多種類の送信間隔に対応できる。
ＯＦＤＭフレーム先頭から何シンボル目なのか（シンボル番号）は受信装置で判断できるので、例えば、３シンボル毎に２回データを送信する例だと、以下のようになる。
１番目データ  ：  ０シンボルと３シンボルで判定
２番目データ  ：  １シンボルと４シンボルで判定
３番目データ  ：  ２シンボルと５シンボルで判定
４番目データ  ：  ６シンボルと９シンボルで判定
５番目データ  ：  ７シンボルと１０シンボルで判定
・                            ・
・                            ・
３０番目データ  ：５６シンボルと５９シンボルで判定
ただ、上記の１フレームが６０シンボルとした場合であっても、４シンボル毎に２回データを送信する際に、１フレームで完結しない問題が生じる。その場合には、（１）１フレームを１２０シンボルにする、（２）１フレームを６０シンボルのままにして、偶数フレーム、奇数フレームで判定を行い、１２０シンボルのスーパーフレームとみなす、といった対策を行えば良い。
【実施例９】
【０１４８】
図１１は、本発明の実施例９に係るワイヤレスマイク用ＯＦＤＭ受信装置２０２の構成を示すブロック図である。図１０における実施例８のＯＦＤＭ受信装置２０１と同じ構成ブロックは、実施例８と同じ符号を付し、説明を簡略化する。
【０１４９】
実施例９に係るワイヤレスマイク用ＯＦＤＭ受信装置２０２は、実施例８のＯＦＤＭ受信装置２０１の構成と比較して、外符号復号部３７とエネルギー逆拡散部３８の順序が逆になっている点が相違する。
【０１５０】
図１１に示すように、ＯＦＤＭ受信装置２０２は、少なくとも１系統のＦＦＴ部３０（３０１〜３０４）と、遅延器３１（３１１〜３１４）と、信号品質算出部３２（３２１〜３２８）と、復調部５１（５１１〜５１８）と、比較・選択・合成部３３と、コンシールメント部３９と、瞬時伸張部４０と、Ｄ／Ａ変換部４１とを備える。復調部５１（５１１〜５１８）は、周波数デインターリーブ部３４と、キャリア復調部３５と、内符号復号部３６と、エネルギー逆拡散部３８と、外符号復号部３７とから成る。なお、ＦＦＴ部３０の前に、それぞれ図示しないガードインターバル除去部を備えており、図では省略されているが、アンテナから受信された受信信号は、受信周波数変換部により中間周波数に変換され、Ａ／Ｄ変換部でデジタル信号に変換し、ガードインターバル除去処理がされた後、ＦＦＴ部３０に入力されることは、当該技術分野において自明のことである。
【０１５１】
各構成要素および時間デインターリーブ部（図示せず）、外符号復号部３７の省略については実施例８と同じであり説明を省略する。
【０１５２】
なお、実施例８のＯＦＤＭ受信装置２０１と実施例９のＯＦＤＭ受信装置２０２との選択については、送信側が、エネルギー拡散部の後段に外符号符号化部を設けた構成（実施例１）の場合は、受信側では、外符号復号部の後段にエネルギー逆拡散部を設ける構成（実施例８）を採用し、送信側が、外符号符号化部の後段にエネルギー拡散部を設けた構成（実施例２）の場合は、受信側では、エネルギー逆拡散部の後段に外符号復号部を設ける構成（実施例９）を採用することが望ましい。この送信側と受信側の構成の対応関係は、他の実施例においても同じである。
【実施例１０】
【０１５３】
図１２は、本発明の実施例１０に係るワイヤレスマイク用ＯＦＤＭ受信装置２０３の構成を示すブロック図である。実施例１０のＯＦＤＭ受信装置２０３は、ＡＤＰＣＭ処理によりデータの圧縮（符号化）と復元を行う方式の受信装置であり、さらに、受信信号のＭＥＲ（Modulation Error Ratio ：変調誤差比）や雑音電力等で信号の品質比較を行う受信装置である。図１０における実施例８のＯＦＤＭ受信装置２０１と同じ構成ブロックは、実施例８と同じ符号を付し、説明を簡略化する。
【０１５４】
実施例１０に係るワイヤレスマイク用ＯＦＤＭ受信装置２０３は、実施例８のＯＦＤＭ受信装置２０１の構成と比較して、圧縮データの復元処理部が瞬時伸長部４０からＡＤＰＣＭ復号部４２となっている点が相違する。
【０１５５】
図１２に示すように、ＯＦＤＭ受信装置２０３は、少なくとも１系統のＦＦＴ部３０（３０１〜３０４）と、遅延器３１（３１１〜３１４）と、信号品質算出部３２（３２１〜３２８）と、復調部５０（５０１〜５０８）と、比較・選択・合成部３３と、コンシールメント部３９と、ＡＤＰＣＭ復号部４２と、Ｄ／Ａ変換部４１とを備える。このうち復調部５０（５０１〜５０８）は、周波数デインターリーブ部３４と、キャリア復調部３５と、内符号復号部３６と、外符号復号部３７と、エネルギー逆拡散部３８とから成る。なお、図１２においては、４系統のダイバーシティ（いわゆる空間ダイバーシティ）受信を行っているために、４つのＦＦＴ部３０を備えており、これらの出力を比較・選択・合成しているが、これは一例であってＦＦＴ部は２系統でも１系統でも、適切なものを選択すればよい。なお、実施例８と同じく、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０１５６】
各構成要素について説明する。図１２において、ＦＦＴ部３０（３０１〜３０４）からコンシールメント部３９までの処理は、図１０の実施例８と同一である。すなわち、受信後にデジタル化され、ＦＦＴ部３０（３０１〜３０４）でＦＦＴ処理を施された信号は、直接又は遅延器３１（３１１〜３１４）を介して信号品質算出部３２（３２１〜３２８）に入力され、ＭＥＲや雑音電力等がそれぞれ算出される。
【０１５７】
その後、復調部５０において、送信側で時間インターリーブが施されている場合は、時間デインターリーブ部（図示せず）に入力し、時間デインターリーブを行った後に周波数デインターリーブ部３４に入力される。周波数デインターリーブ部３４により、周波数的に並び替えられたデータを元に戻す周波数デインターリーブ処理を行い、キャリア復調部３５にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３６による内符号復号処理、外符号復号部３７にて、送信側で付加した誤り訂正符号を利用して、誤り訂正又は誤り検出を行い、エネルギー逆拡散部３８によるエネルギー逆拡散を施す。なお、連接符号ではない場合は、外符号復号部３７は省略してよい。比較・選択・合成部３３は、信号品質データとしてのＭＥＲや雑音電力等を比較し、各系統の復調部５０を経た信号から品質の良い信号を選択し、必要に応じて信号の合成を行う。さらに、コンシールメント部３９により、内符号復号部３６及び／又は外符号復号部３７から送られた誤り情報に基づいて、訂正できなかった誤りデータに対して、誤りが発生する直前の値を保持する等のコンシールメント処理を行う。その後、コンシールメント部３９は、データをＡＤＰＣＭ復号部４２に出力する。
【０１５８】
ＡＤＰＣＭ復号部４２は、入力されたデジタル信号（例えば１２ビット）をＡＤＰＣＭ復号処理により、元の２４ビットのデジタル信号に復号する。この復号処理は、ＡＤＰＣＭ符号化の逆処理であって、公知の手段を利用して、時間遅延を生じることなくデータの復号処理ができる。ＡＤＰＣＭ復号部４２で復号された信号は、Ｄ／Ａ変換部４１に出力される。
【０１５９】
Ｄ／Ａ変換部４１は、復号されたデジタルデータを、デジタル／アナログ変換し、アナログ音声信号を出力する。
【０１６０】
このように、実施例１０のＯＦＤＭ受信装置２０３が構成され、信号処理が行われる。
【実施例１１】
【０１６１】
図１３は、本発明の実施例１１に係るワイヤレスマイク用ＯＦＤＭ受信装置２０４の構成を示すブロック図である。図１２における実施例１０のＯＦＤＭ受信装置２０３と同じ構成ブロックは、実施例１０と同じ符号を付し、説明を簡略化する。
【０１６２】
実施例１１に係るワイヤレスマイク用ＯＦＤＭ受信装置２０４は、実施例１０のＯＦＤＭ受信装置２０３の構成と比較して、外符号復号部３７とエネルギー逆拡散部３８の順序が逆になっている点が相違する。
【０１６３】
図１３に示すように、ＯＦＤＭ受信装置２０４は、少なくとも１系統のＦＦＴ部３０（３０１〜３０４）と、遅延器３１（３１１〜３１４）と、信号品質算出部３２（３２１〜３２８）と、復調部５１（５１１〜５１８）と、比較・選択・合成部３３と、コンシールメント部３９と、ＡＤＰＣＭ復号部４２と、Ｄ／Ａ変換部４１とを備える。復調部５１（５１１〜５１８）は、周波数デインターリーブ部３４と、キャリア復調部３５と、内符号復号部３６と、エネルギー逆拡散部３８と、外符号復号部３７とから成る。なお、図では省略されているが、アンテナから受信された受信信号は、受信周波数変換部により中間周波数に変換され、Ａ／Ｄ変換部でデジタル信号に変換し、ガードインターバル除去処理がされた後、ＦＦＴ部３０に入力されることは、当該技術分野において自明のことである。
【０１６４】
各構成要素および時間デインターリーブ部（図示せず）、外符号復号部３７の省略については実施例１０と同じであり説明を省略する。
【実施例１２】
【０１６５】
図１４は、本発明の実施例１２に係るワイヤレスマイク用ＯＦＤＭ受信装置２０５の構成を示すブロック図である。実施例１２のＯＦＤＭ受信装置２０５は、データの瞬時圧伸処理とＡＤＰＣＭ処理を選択可能な方式の受信装置であり、さらに、受信信号のＭＥＲ（Modulation Error Ratio ：変調誤差比）や雑音電力等で信号の品質比較を行う受信装置である。図１０における実施例８のＯＦＤＭ受信装置２０１及び図１２における実施例１０のＯＦＤＭ受信装置２０３と同じ構成ブロックは、実施例８，１０と同じ符号を付し、説明を簡略化する。
【０１６６】
実施例１２に係るワイヤレスマイク用ＯＦＤＭ受信装置２０５は、実施例８，１０のＯＦＤＭ受信装置２０１，２０３の構成と比較して、圧縮データの復元処理部として、瞬時伸張部４０とＡＤＰＣＭ復号部４２とその選択部４３を備えている点が相違する。
【０１６７】
図１４に示すように、ＯＦＤＭ受信装置２０５は、少なくとも１系統のＦＦＴ部３０（３０１〜３０４）と、遅延器３１（３１１〜３１４）と、信号品質算出部３２（３２１〜３２８）と、復調部５０（５０１〜５０８）と、比較・選択・合成部３３と、コンシールメント部３９と、瞬時伸張部４０と、ＡＤＰＣＭ復号部４２と、選択部４３と、Ｄ／Ａ変換部４１とを備える。このうち復調部５０（５０１〜５０８）は、周波数デインターリーブ部３４と、キャリア復調部３５と、内符号復号部３６と、外符号復号部３７と、エネルギー逆拡散部３８とから成る。なお、図１４においては、４系統のダイバーシティ（いわゆる空間ダイバーシティ）受信を行っているために、４つのＦＦＴ部３０を備えており、これらの出力を比較・選択・合成しているが、これは一例であってＦＦＴ部は２系統でも１系統でも、適切なものを選択すればよい。なお、実施例８，１０と同じく、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０１６８】
各構成要素について説明する。図１４において、ＦＦＴ部３０（３０１〜３０４）からコンシールメント部３９までの処理は、図１０の実施例８及び図１２の実施例１０と同一である。
すなわち、受信後にデジタル化され、ＦＦＴ部３０（３０１〜３０４）でＦＦＴ処理を施された信号は、直接又は遅延器３１（３１１〜３１４）を介して信号品質算出部３２（３２１〜３２８）に入力され、ＭＥＲや雑音電力等がそれぞれ算出される。
【０１６９】
その後、復調部５０において、送信側で時間インターリーブが施されている場合は、時間デインターリーブ部（図示せず）に入力し、時間デインターリーブを行った後に周波数デインターリーブ部３４に入力される。周波数デインターリーブ部３４により、周波数的に並び替えられたデータを元に戻す周波数デインターリーブ処理を行い、キャリア復調部３５にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３６による内符号復号処理、外符号復号部３７にて、送信側で付加した誤り訂正符号を利用して、誤り訂正又は誤り検出を行い、エネルギー逆拡散部３８によるエネルギー逆拡散を施す。なお、連接符号ではない場合は、外符号復号部３７は省略してよい。比較・選択・合成部３３は、信号品質データとしてのＭＥＲや雑音電力等を比較し、各系統の復調部５０を経た信号から品質の良い信号を選択し、必要に応じて信号の合成を行う。さらに、コンシールメント部３９により、内符号復号部３６及び／又は外符号復号部３７から送られた誤り情報に基づいて、訂正できなかった誤りデータに対して、誤りが発生する直前の値を保持する等のコンシールメント処理を行う。その後、コンシールメント部３９は、データを瞬時伸張部４０及びＡＤＰＣＭ復号部４２に出力する。
【０１７０】
瞬時伸張部４０は、実施例８と同じく入力されたデジタル信号（圧縮されたデータ）を所定の圧伸則に基づいて瞬時伸張し、選択部４３に出力する。また、ＡＤＰＣＭ復号部４２は、実施例１０と同じく入力されたデジタル信号をＡＤＰＣＭ復号処理により元のビット数のデジタル信号に復号し、選択部４３に出力する。
【０１７１】
選択部４３は、図示しない外部からの信号により、瞬時伸張部４０で処理された伸張データと、ＡＤＰＣＭ復号部４２で処理された復号データのうち、送信側で選択したデータ圧縮手段に対応する処理を選択して、Ｄ／Ａ変換部４１に出力する。
【０１７２】
Ｄ／Ａ変換部４１は、伸張又は復号されたデジタルデータを、デジタル／アナログ変換し、アナログ音声信号を出力する。
【０１７３】
このように、実施例１２のＯＦＤＭ受信装置２０５が構成され、信号処理が行われる。
【実施例１３】
【０１７４】
図１５は、本発明の実施例１３に係るワイヤレスマイク用ＯＦＤＭ受信装置２０６の構成を示すブロック図である。図１４における実施例１２のＯＦＤＭ受信装置２０５と同じ構成ブロックは、実施例１２と同じ符号を付し、説明を簡略化する。
【０１７５】
実施例１３に係るワイヤレスマイク用ＯＦＤＭ受信装置２０６は、実施例１２のＯＦＤＭ受信装置２０５の構成と比較して、外符号復号部３７とエネルギー逆拡散部３８の順序が逆になっている点が相違する。
【０１７６】
図１５に示すように、ＯＦＤＭ受信装置２０６は、少なくとも１系統のＦＦＴ部３０（３０１〜３０４）と、遅延器３１（３１１〜３１４）と、信号品質算出部３２（３２１〜３２８）と、復調部５１（５１１〜５１８）と、比較・選択・合成部３３と、コンシールメント部３９と、瞬時伸張部４０と、ＡＤＰＣＭ復号部４２と、選択部４３と、Ｄ／Ａ変換部４１とを備える。復調部５１（５１１〜５１８）は、周波数デインターリーブ部３４と、キャリア復調部３５と、内符号復号部３６と、エネルギー逆拡散部３８と、外符号復号部３７とから成る。なお、図では省略されているが、アンテナから受信された受信信号は、受信周波数変換部により中間周波数に変換され、Ａ／Ｄ変換部でデジタル信号に変換し、ガードインターバル除去処理がされた後、ＦＦＴ部３０に入力されることは、当該技術分野において自明のことである。
【０１７７】
各構成要素および時間デインターリーブ部（図示せず）、外符号復号部３７の省略については実施例１２と同じであり説明を省略する。
【実施例１４】
【０１７８】
図１６は、本発明の実施例１４に係るワイヤレスマイク用ＯＦＤＭ受信装置２０７の構成を示すブロック図である。実施例１４のＯＦＤＭ受信装置２０７は、瞬時圧伸処理によりデータの圧縮と伸張を行う方式の受信装置であり、さらに、受信信号の内符号復号部による処理を行った後のエラー信号を利用して受信信号の選択・合成を行う受信装置である。図１０ないし図１５における実施例８〜１３のＯＦＤＭ受信装置２０１〜２０６と同じ構成ブロックは、同じ符号を付し、説明を簡略化する。
【０１７９】
図１６に示すように、ＯＦＤＭ受信装置２０７は、少なくとも１系統のＦＦＴ部３０（３０１〜３０４）と、遅延器３１（３１１〜３１４）と、復調部５２（５２１〜５２８）と、比較・選択・合成部５３と、コンシールメント部３９と、瞬時伸張部４０と、Ｄ／Ａ変換部４１とを備える。このうち、復調部５２は、周波数デインターリーブ部３４と、キャリア復調部３５と、内符号復号部３６と、外符号復号部３７と、エネルギー逆拡散部３８とから成る。なお、図１６においては、４系統のダイバーシティ（いわゆる空間ダイバーシティ）受信を行っているために、４つのＦＦＴ部３０を備えているが、これは一例であってＦＦＴ部は２系統でも１系統でも、適切なものを選択すればよい。また、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０１８０】
各構成要素について説明する。図１６において、ＦＦＴ部３０（３０１〜３０４）が、受信後にデジタル化された信号に対してＦＦＴ処理を施し、遅延器３１（３１１〜３１４）が、送信装置側で設定された同一の音声信号を含む信号の再送間隔に対応した信号遅延を生じさせて信号を出力することは、実施例８〜１３と同じである。この実施例１４においては、ＦＦＴ部３０（３０１〜３０４）の出力信号と、遅延器３１（３１１〜３１４）の出力信号は、復調部５２（５２１〜５２８）に入力される。
【０１８１】
復調部５２（５２１〜５２８）は、それぞれ、周波数デインターリーブ部３４と、キャリア復調部３５と、内符号復号部３６と、外符号復号部３７と、エネルギー逆拡散部３８とから成る。送信側で時間インターリーブが施されている場合は、時間デインターリーブ部（図示せず）に入力し、時間デインターリーブを行った後に周波数デインターリーブ部３４に入力される。周波数デインターリーブ部３４は周波数デインターリーブ処理を行い、周波数的に並び替えられたデータを元に戻し、また、キャリア復調部３５は、キャリアごとに復調を行い、推定された伝送路特性に基づいてデマッピング処理を行いＩ信号値とＱ信号値を得てビットデータに復調し、ビットデインターリーブ処理により、ビット単位で並べ替えたデータを元の配列に戻す。内符号復号部３６は、キャリア復調部３５から入力される信号を内符号復号処理し、復号処理で復号・訂正しきれないデータが生じた場合、誤りが生じていることを示す「エラーフラグ」を出力する。さらに外符号復号部３７は、送信側で付加した誤り訂正符号を利用して、復号と誤り訂正又は誤り検出を行い、エネルギー逆拡散部３８は、エネルギー逆拡散を施して、元の信号出力に戻す。なお、連接符号ではない場合は、外符号復号部３７は省略してよい。結局、復調部５２は、エネルギー逆拡散部３８までの処理で復号したデータを比較・選択・合成部５３に出力するとともに、内符号復号部３６での復号処理に誤りが生じた場合に、「エラーフラグ」を比較・選択・合成部５３に出力する。
【０１８２】
比較・選択・合成部５３は、復調部５２（５２１〜５２８）から出力された「エラーフラグ」を利用して、エネルギー逆拡散部３８までを経た各系統の信号（復調部５２からの出力信号）から品質の良い信号を選択し、必要に応じて信号の合成を行う。比較・選択・合成部５１の処理としては、例えば、（１）エラーフラグに基づきエラー無しの信号を選択して出力する処理、（２）エラーフラグに基づきエラー無しの信号を全て選択して、選択された信号を最大比合成により合成して出力する処理、（３）エラーフラグを用いることなく復調部５２（５２１〜５２８）の各出力信号に基づく多数決判定、等が想定されるが適切な手段を選択して処理を行うことができる。比較・選択・合成部５３により選択又は合成された信号は、コンシールメント部３９に出力される。
【０１８３】
コンシールメント部３９以降の処理は、実施例８と同じである。すなわち、コンシールメント部３９は、外符号復号部３７から送られた誤り情報に基づいて、訂正できなかった誤りデータに対して、誤りが発生する直前の値を保持する等のコンシールメント処理を行い、処理を行った後のデータを瞬時伸張部４０に出力する。
【０１８４】
瞬時伸張部４０は、予め設定した圧伸則を用いて、入力されたデジタル信号を瞬時伸張し、Ｄ／Ａ変換部４１は、伸張されたデジタルデータを、デジタル／アナログ変換し、アナログ音声信号を出力する。
【０１８５】
なお、図１６では、コンシールメント処理を行った後に瞬時伸張を行っているが、コンシールメント部３９と瞬時伸張部４０との配置を入れ替えて、瞬時伸張を行ったデータに対してコンシールメント処理を行うこともできる。
【０１８６】
このように、実施例１４のＯＦＤＭ受信装置２０７が構成され、信号処理が行われる。
【実施例１５】
【０１８７】
図１７は、本発明の実施例１５に係るワイヤレスマイク用ＯＦＤＭ受信装置２０８の構成を示すブロック図である。図１６における実施例１４のＯＦＤＭ受信装置２０７と同じ構成ブロックは、実施例１４と同じ符号を付し、説明を簡略化する。
【０１８８】
実施例１５に係るワイヤレスマイク用ＯＦＤＭ受信装置２０８は、実施例１４のＯＦＤＭ受信装置２０７の構成と比較して、外符号復号部３７とエネルギー逆拡散部３８の順序が逆になっている点が相違する。
【０１８９】
図１７に示すように、ＯＦＤＭ受信装置２０８は、少なくとも１系統のＦＦＴ部３０（３０１〜３０４）と、遅延器３１（３１１〜３１４）と、復調部５４（５４１〜５４８）と、比較・選択・合成部５３と、コンシールメント部３９と、瞬時伸張部４０と、Ｄ／Ａ変換部４１とを備える。このうち、復調部５４は、周波数デインターリーブ部３４と、キャリア復調部３５と、内符号復号部３６と、エネルギー逆拡散部３８と、外符号復号部３７とから成る。既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０１９０】
各構成要素および時間デインターリーブ部（図示せず）、外符号復号部３７の省略については実施例１４と同じであり説明を省略する。
【実施例１６】
【０１９１】
図１８は、本発明の実施例１６に係るワイヤレスマイク用ＯＦＤＭ受信装置２０９の構成を示すブロック図である。実施例１６のＯＦＤＭ受信装置２０５はＡＤＰＣＭ処理によりデータの圧縮（符号化）と復元を行う方式の受信装置であり、さらに、受信信号の内符号復号部による処理を行った後のエラー信号を利用して受信信号の選択・合成を行う受信装置である。図１０ないし図１７における実施例８〜１５のＯＦＤＭ受信装置２０１〜２０８と同じ構成ブロックは、同じ符号を付し、説明を簡略化する。
【０１９２】
図１８に示すように、ＯＦＤＭ受信装置２０９は、少なくとも１系統のＦＦＴ部３０（３０１〜３０４）と、遅延器３１（３１１〜３１４）と、復調部５２（５２１〜５２８）と、比較・選択・合成部５３と、コンシールメント部３９と、ＡＤＰＣＭ復号部４２と、Ｄ／Ａ変換部４１とを備える。このうち、復調部５２は、周波数デインターリーブ部３４と、キャリア復調部３５と、内符号復号部３６と、外符号復号部３７と、エネルギー逆拡散部３８とから成る。なお、図１８においては、４系統のダイバーシティ（いわゆる空間ダイバーシティ）受信を行っているために、４つのＦＦＴ部３０を備えているが、これは一例であってＦＦＴ部は２系統でも１系統でも、適切なものを選択すればよい。また、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０１９３】
各構成要素について説明する。図１８において、ＦＦＴ部３０（３０１〜３０４）からコンシールメント部３９までの処理は、図１６の実施例１４と同一である。すなわち、受信後にデジタル化され、ＦＦＴ部３０（３０１〜３０４）でＦＦＴ処理を施された信号は、直接又は遅延器３１（３１１〜３１４）を介して復調部５２（５２１〜５２８）に入力される。復調部５２（５２１〜５２８）は、送信側で時間インターリーブが施されている場合は、時間デインターリーブ部（図示せず）に入力し、時間デインターリーブを行った後に周波数デインターリーブ部３４に入力される。周波数デインターリーブ部３４と、キャリア復調部３５と、内符号復号部３６と、外符号復号部３７と、エネルギー逆拡散部３８の処理に基づいて、エネルギー逆拡散部３８までの処理をしたデータを比較・選択・合成部５３に出力するとともに、内符号復号部３６での復号処理に誤りが生じた場合に、「エラーフラグ」を比較・選択・合成部５３に出力する。
【０１９４】
比較・選択・合成部５３は、復調部５２（５２１〜５２８）から出力された「エラーフラグ」を利用して（又は利用せずに）、エネルギー逆拡散部３８までを経た各系統の信号（復調部５２からの出力信号）から品質の良い信号を選択し、必要に応じて信号の合成を行い、次いで、コンシールメント部３９により、外符号復号部３７から送られた誤り情報に基づいて、訂正できなかった誤りデータに対してコンシールメント処理を行う。なお、連接符号ではない場合は、外符号復号部３７は省略してよい。その後、ＡＤＰＣＭ復号部４２は、入力されたデジタル信号をＡＤＰＣＭ復号処理により、元のビット数のデジタル信号に復号する。ＡＤＰＣＭ復号部４２で復号された信号は、Ｄ／Ａ変換部４１に出力され、Ｄ／Ａ変換部４１は、復号されたデジタルデータを、デジタル／アナログ変換し、アナログ音声信号を出力する。
【０１９５】
このように、実施例１６のＯＦＤＭ受信装置２０９が構成され、信号処理が行われる。
【実施例１７】
【０１９６】
図１９は、本発明の実施例１７に係るワイヤレスマイク用ＯＦＤＭ受信装置２１０の構成を示すブロック図である。図１８における実施例１６のＯＦＤＭ受信装置２０９と同じ構成ブロックは、実施例１６と同じ符号を付し、説明を簡略化する。
【０１９７】
実施例１７に係るワイヤレスマイク用ＯＦＤＭ受信装置２１０は、実施例１６のＯＦＤＭ受信装置２０９の構成と比較して、外符号復号部３７とエネルギー逆拡散部３８の順序が逆になっている点が相違する。
【０１９８】
図１９に示すように、ＯＦＤＭ受信装置２１０は、少なくとも１系統のＦＦＴ部３０（３０１〜３０４）と、遅延器３１（３１１〜３１４）と、復調部５４（５４１〜５４８）と、比較・選択・合成部５３と、コンシールメント部３９と、ＡＤＰＣＭ復号部４２と、Ｄ／Ａ変換部４１とを備える。このうち、復調部５４は、周波数デインターリーブ部３４と、キャリア復調部３５と、内符号復号部３６と、エネルギー逆拡散部３８と、外符号復号部３７とから成る。既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０１９９】
各構成要素および時間デインターリーブ部（図示せず）、外符号復号部３７の省略については実施例１６と同じであり説明を省略する。
【実施例１８】
【０２００】
図２０は、本発明の実施例１８に係るワイヤレスマイク用ＯＦＤＭ受信装置２１１の構成を示すブロック図である。実施例１８のＯＦＤＭ受信装置２１１はデータの瞬時圧伸処理とＡＤＰＣＭ処理を選択可能な方式の受信装置であり、さらに、受信信号の内符号復号部による処理を行った後のエラー信号を利用して受信信号の選択・合成を行う受信装置である。図１０ないし図１９における実施例８〜１７のＯＦＤＭ受信装置２０１〜２１０と同じ構成ブロックは、同じ符号を付し、説明を簡略化する。
【０２０１】
図２０に示すように、ＯＦＤＭ受信装置２１１は、少なくとも１系統のＦＦＴ部３０（３０１〜３０４）と、遅延器３１（３１１〜３１４）と、復調部５２（５２１〜５２８）と、比較・選択・合成部５３と、コンシールメント部３９と、瞬時伸張部４０と、ＡＤＰＣＭ復号部４２と、選択部４３と、Ｄ／Ａ変換部４１とを備える。このうち、復調部５２は、周波数デインターリーブ部３４と、キャリア復調部３５と、内符号復号部３６と、外符号復号部３７と、エネルギー逆拡散部３８とから成る。なお、図２０においては、４系統のダイバーシティ（いわゆる空間ダイバーシティ）受信を行っているために、４つのＦＦＴ部３０を備えているが、これは一例であってＦＦＴ部は２系統でも１系統でも、適切なものを選択すればよい。また、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２０２】
各構成要素について説明する。図２０において、ＦＦＴ部３０（３０１〜３０４）からコンシールメント部３９までの処理は、図１６の実施例１４と同一である。すなわち、受信後にデジタル化され、ＦＦＴ部３０（３０１〜３０４）でＦＦＴ処理を施された信号は、直接又は遅延器３１（３１１〜３１４）を介して復調部５２（５２１〜５２８）に入力される。復調部５２（５２１〜５２８）は、送信側で時間インターリーブが施されている場合は、時間デインターリーブ部（図示せず）に入力し、時間デインターリーブを行った後に周波数デインターリーブ部３４に入力される。周波数デインターリーブ部３４と、キャリア復調部３５と、内符号復号部３６と、外符号復号部３７と、エネルギー逆拡散部３８の処理に基づいて、エネルギー逆拡散部３８までの処理をしたデータを比較・選択・合成部５３に出力するとともに、内符号復号部３６での復号処理に誤りが生じた場合に、「エラーフラグ」を比較・選択・合成部５３に出力する。なお、連接符号ではない場合は、外符号復号部３７は省略してよい。
【０２０３】
比較・選択・合成部５３は、復調部５２（５２１〜５２８）から出力された「エラーフラグ」を利用して（又は利用せずに）、エネルギー逆拡散部３８までを経た各系統の信号（復調部５２からの出力信号）から品質の良い信号を選択し、必要に応じて信号の合成を行い、次いで、コンシールメント部３９により、外符号復号部３７から送られた誤り情報に基づいて、訂正できなかった誤りデータに対してコンシールメント処理を行う。その後、コンシールメント部３９は、データを瞬時伸張部４０及びＡＤＰＣＭ復号部４２に出力する。
【０２０４】
瞬時伸張部４０は、実施例１４と同じく入力されたデジタル信号（圧縮されたデータ）を所定の圧伸則に基づいて瞬時伸張し、選択部４３に出力する。また、ＡＤＰＣＭ復号部４２は、実施例１６と同じく入力されたデジタル信号をＡＤＰＣＭ復号処理により元のビット数のデジタル信号に復号し、選択部４３に出力する。選択部４３は、図示しない外部からの信号により、瞬時伸張部４０で処理された伸張データと、ＡＤＰＣＭ復号部４２で処理された復号データのうち、送信側で選択したデータ圧縮手段に対応する処理を選択して、Ｄ／Ａ変換部４１に出力する。Ｄ／Ａ変換部４１は、伸張又は復号されたデジタルデータを、デジタル／アナログ変換し、アナログ音声信号を出力する。
【０２０５】
このように、実施例１８のＯＦＤＭ受信装置２１１が構成され、信号処理が行われる。
【実施例１９】
【０２０６】
図２１は、本発明の実施例１９に係るワイヤレスマイク用ＯＦＤＭ受信装置２１２の構成を示すブロック図である。図２０における実施例１８のＯＦＤＭ受信装置２１１と同じ構成ブロックは、実施例１８と同じ符号を付し、説明を簡略化する。
【０２０７】
実施例１９に係るワイヤレスマイク用ＯＦＤＭ受信装置２１２は、実施例１８のＯＦＤＭ受信装置２１１の構成と比較して、外符号復号部３７とエネルギー逆拡散部３８の順序が逆になっている点が相違する。
【０２０８】
図２１に示すように、ＯＦＤＭ受信装置２１２は、少なくとも１系統のＦＦＴ部３０（３０１〜３０４）と、遅延器３１（３１１〜３１４）と、復調部５４（５４１〜５４８）と、比較・選択・合成部５３と、コンシールメント部３９と、瞬時伸張部４０と、ＡＤＰＣＭ復号部４２と、選択部４３と、Ｄ／Ａ変換部４１とを備える。このうち、復調部５４は、周波数デインターリーブ部３４と、キャリア復調部３５と、内符号復号部３６と、エネルギー逆拡散部３８と、外符号復号部３７とから成る。既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２０９】
各構成要素および時間デインターリーブ部（図示せず）、外符号復号部３７の省略については実施例１８と同じであり説明を省略する。
【実施例２０】
【０２１０】
図２２は、本発明の実施例２０に係るワイヤレスマイク用ＯＦＤＭ受信装置２１３の構成を示すブロック図である。実施例２０のＯＦＤＭ受信装置２１３は、瞬時圧伸処理によりデータの圧縮と伸張を行う方式の受信装置であり、さらに、受信信号の外符号復号部による処理を行った後のエラー信号を利用して受信信号の選択・合成を行う受信装置である。図１６ないし図２１における実施例１４〜１９のＯＦＤＭ受信装置２０７〜２１２と同じ構成ブロックは、同じ符号を付し、説明を簡略化する。
【０２１１】
図２２に示すように、ＯＦＤＭ受信装置２１３は、少なくとも１系統のＦＦＴ部３０（３０１〜３０４）と、遅延器３１（３１１〜３１４）と、復調部５５（５５１〜５５８）と、比較・選択・合成部５３と、コンシールメント部３９と、瞬時伸張部４０と、Ｄ／Ａ変換部４１とを備える。このうち、復調部５５は、周波数デインターリーブ部３４と、キャリア復調部３５と、内符号復号部３６と、外符号復号部３７と、エネルギー逆拡散部３８とから成る。なお、図２２においては、４系統のダイバーシティ（いわゆる空間ダイバーシティ）受信を行っているために、４つのＦＦＴ部３０を備えているが、これは一例であってＦＦＴ部は２系統でも１系統でも、適切なものを選択すればよい。また、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２１２】
各構成要素について説明する。図２２において、ＦＦＴ部３０（３０１〜３０４）が、受信後にデジタル化された信号に対してＦＦＴ処理を施し、遅延器３１（３１１〜３１４）が、送信装置側で設定された同一の音声信号を含む信号の再送間隔に対応した信号遅延を生じさせて信号を出力することは、実施例８〜１９と同じである。この実施例２０においては、ＦＦＴ部３０（３０１〜３０４）の出力信号と、遅延器３１（３１１〜３１４）の出力信号は、復調部５５（５５１〜５５８）に入力される。
【０２１３】
復調部５５（５５１〜５５８）は、それぞれ、周波数デインターリーブ部３４と、キャリア復調部３５と、内符号復号部３６と、外符号復号部３７と、エネルギー逆拡散部３８とから成る。送信側で時間インターリーブが施されている場合は、時間デインターリーブ部（図示せず）に入力し、時間デインターリーブを行った後に周波数デインターリーブ部３４に入力される。周波数デインターリーブ部３４は周波数デインターリーブ処理を行い、周波数的に並び替えられたデータを元に戻し、また、キャリア復調部３５は、キャリアごとに復調を行い、推定された伝送路特性に基づいてデマッピング処理を行いＩ信号値とＱ信号値を得てビットデータに復調し、ビットデインターリーブ処理により、ビット単位で並べ替えたデータを元の配列に戻す。内符号復号部３６は、キャリア復調部３５から入力される信号を内符号復号処理し、外符号復号部３７は、送信側で付加した誤り訂正符号を利用して、復号と誤り訂正又は誤り検出を行い、復号処理で復号・訂正しきれないデータが生じた場合、誤りが生じていることを示す「エラーフラグ」を出力する。エネルギー逆拡散部３８は、エネルギー逆拡散を施して、元の信号出力に戻す。なお、連接符号ではない場合は、外符号復号部３７は省略してよい。結局、復調部５５は、エネルギー逆拡散部３８までの処理で復号したデータを比較・選択・合成部５３に出力するとともに、外符号復号部３７での復号処理に誤りが生じた場合に、「エラーフラグ」を比較・選択・合成部５３に出力する。
【０２１４】
比較・選択・合成部５３は、復調部５５（５５１〜５５８）から出力された「エラーフラグ」を利用して、エネルギー逆拡散部３８までを経た各系統の信号（復調部５５からの出力信号）から品質の良い信号を選択し、必要に応じて信号の合成を行う。比較・選択・合成部５３の処理としては、実施例１４，１５と同様に、例えば、（１）エラーフラグに基づきエラー無しの信号を選択して出力する処理、（２）エラーフラグに基づきエラー無しの信号を全て選択して、選択された信号を最大比合成により合成して出力する処理、（３）エラーフラグを用いることなく復調部５５（５５１〜５５８）の各出力信号に基づく多数決判定、等が想定されるが適切な手段を選択して処理を行うことができる。比較・選択・合成部５３により選択又は合成された信号は、コンシールメント部３９に出力される。なお、コンシールメント部３９は、外符号復号部３８から送られた誤り情報に基づいてコンシールメント処理を行うことができるが、比較・選択・合成部５３でエラー無しの信号のみを選択した場合は、特に処理は行われない。
【０２１５】
その後、瞬時伸張部４０は、予め設定した圧伸則を用いて、入力されたデジタル信号を瞬時伸張し、Ｄ／Ａ変換部４１は、伸張されたデジタルデータを、デジタル／アナログ変換し、アナログ音声信号を出力する。
【０２１６】
このように、実施例２０のＯＦＤＭ受信装置２１３が構成され、信号処理が行われる。
【実施例２１】
【０２１７】
図２３は、本発明の実施例２１に係るワイヤレスマイク用ＯＦＤＭ受信装置２１４の構成を示すブロック図である。図２２における実施例２０のＯＦＤＭ受信装置２１３と同じ構成ブロックは、実施例２０と同じ符号を付し、説明を簡略化する。
【０２１８】
実施例２１に係るワイヤレスマイク用ＯＦＤＭ受信装置２１４は、実施例２０のＯＦＤＭ受信装置２１３の構成と比較して、外符号復号部３７とエネルギー逆拡散部３８の順序が入れ替わっている点が相違する。
【０２１９】
図２３に示すように、ＯＦＤＭ受信装置２１４は、少なくとも１系統のＦＦＴ部３０（３０１〜３０４）と、遅延器３１（３１１〜３１４）と、復調部５６（５６１〜５６８）と、比較・選択・合成部５３と、コンシールメント部３９と、瞬時伸張部４０と、Ｄ／Ａ変換部４１とを備える。このうち、復調部５６は、周波数デインターリーブ部３４と、キャリア復調部３５と、内符号復号部３６と、エネルギー逆拡散部３８と、外符号復号部３７とから成る。なお、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２２０】
各構成要素および時間デインターリーブ部（図示せず）、外符号復号部３７の省略については実施例２０と同じであり説明を省略する。
【実施例２２】
【０２２１】
図２４は、本発明の実施例２２に係るワイヤレスマイク用ＯＦＤＭ受信装置２１５の構成を示すブロック図である。実施例２２のＯＦＤＭ受信装置２１５は、ＡＤＰＣＭ処理によりデータの圧縮（符号化）と復元を行う方式の受信装置であり、さらに、受信信号の外符号復号部による処理を行った後のエラー信号を利用して受信信号の選択・合成を行う受信装置である。図１６ないし図２３における実施例１４〜２２のＯＦＤＭ受信装置２０７〜２１４と同じ構成ブロックは、同じ符号を付し、説明を簡略化する。
【０２２２】
図２４に示すように、ＯＦＤＭ受信装置２１５は、少なくとも１系統のＦＦＴ部３０（３０１〜３０４）と、遅延器３１（３１１〜３１４）と、復調部５５（５５１〜５５８）と、比較・選択・合成部５３と、コンシールメント部３９と、ＡＤＰＣＭ復号部４２と、Ｄ／Ａ変換部４１とを備える。このうち、復調部５５は、周波数デインターリーブ部３４と、キャリア復調部３５と、内符号復号部３６と、外符号復号部３７と、エネルギー逆拡散部３８とから成る。なお、図２２においては、４系統のダイバーシティ（いわゆる空間ダイバーシティ）受信を行っているために、４つのＦＦＴ部３０を備えているが、これは一例であってＦＦＴ部は２系統でも１系統でも、適切なものを選択すればよい。また、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２２３】
各構成要素について説明する。図２４において、ＦＦＴ部３０（３０１〜３０４）からコンシールメント部３９までの処理は、図２２の実施例２０と同一である。すなわち、受信後にデジタル化され、ＦＦＴ部３０（３０１〜３０４）でＦＦＴ処理を施された信号は、直接又は遅延器３１（３１１〜３１４）を介して復調部５５（５５１〜５５８）に入力される。復調部５５（５５１〜５５８）は、送信側で時間インターリーブが施されている場合は、時間デインターリーブ部（図示せず）に入力し、時間デインターリーブを行った後に周波数デインターリーブ部３４に入力される。周波数デインターリーブ部３４と、キャリア復調部３５と、内符号復号部３６と、外符号復号部３７と、エネルギー逆拡散部３８の処理に基づいて、エネルギー逆拡散部３８までの処理で復号したデータを比較・選択・合成部５３に出力するとともに、外符号復号部３７での復号処理に誤りが生じた場合に、「エラーフラグ」を比較・選択・合成部５３に出力する。なお、連接符号ではない場合は、外符号復号部３７は省略してよい。
【０２２４】
比較・選択・合成部５３は、復調部５５（５５１〜５５８）から出力された「エラーフラグ」を利用して（又は利用せずに）、エネルギー逆拡散部３８までを経た各系統の信号（復調部５５からの出力信号）から品質の良い信号を選択し、必要に応じて信号の合成を行い、次いで、コンシールメント部３９によるコンシールメント処理を行う。その後、ＡＤＰＣＭ復号部４２は、入力されたデジタル信号をＡＤＰＣＭ復号処理により、元のビット数のデジタル信号に復号する。ＡＤＰＣＭ復号部４２で復号された信号は、Ｄ／Ａ変換部４１に出力され、Ｄ／Ａ変換部４１は、復号されたデジタルデータを、デジタル／アナログ変換し、アナログ音声信号を出力する。
【０２２５】
このように、実施例２２のＯＦＤＭ受信装置２１５が構成され、信号処理が行われる。
【実施例２３】
【０２２６】
図２５は、本発明の実施例２３に係るワイヤレスマイク用ＯＦＤＭ受信装置２１６の構成を示すブロック図である。図２４における実施例２２のＯＦＤＭ受信装置２１５と同じ構成ブロックは、実施例２２と同じ符号を付し、説明を簡略化する。
【０２２７】
実施例２３に係るワイヤレスマイク用ＯＦＤＭ受信装置２１６は、実施例２２のＯＦＤＭ受信装置２１５の構成と比較して、外符号復号部３７とエネルギー逆拡散部３８の順序が入れ替わっている点が相違する。
【０２２８】
図２５に示すように、ＯＦＤＭ受信装置２１６は、少なくとも１系統のＦＦＴ部３０（３０１〜３０４）と、遅延器３１（３１１〜３１４）と、復調部５６（５６１〜５６８）と、比較・選択・合成部５３と、コンシールメント部３９と、ＡＤＰＣＭ復号部４２と、Ｄ／Ａ変換部４１とを備える。このうち、復調部５６は、周波数デインターリーブ部３４と、キャリア復調部３５と、内符号復号部３６と、エネルギー逆拡散部３８と、外符号復号部３７とから成る。既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２２９】
各構成要素および時間デインターリーブ部（図示せず）、外符号復号部３７の省略については実施例２２と同じであり説明を省略する。
【実施例２４】
【０２３０】
図２６は、本発明の実施例２４に係るワイヤレスマイク用ＯＦＤＭ受信装置２１７の構成を示すブロック図である。実施例２４のＯＦＤＭ受信装置２１７は、データの瞬時圧伸処理とＡＤＰＣＭ処理を選択可能な方式の受信装置であり、さらに、受信信号の外符号復号部による処理を行った後のエラー信号を利用して受信信号の選択・合成を行う受信装置である。図１６ないし図２５における実施例１４〜２３のＯＦＤＭ受信装置２０７〜２１６と同じ構成ブロックは、同じ符号を付し、説明を簡略化する。
【０２３１】
図２６に示すように、ＯＦＤＭ受信装置２１７は、少なくとも１系統のＦＦＴ部３０（３０１〜３０４）と、遅延器３１（３１１〜３１４）と、復調部５５（５５１〜５５８）と、比較・選択・合成部５３と、コンシールメント部３９と、瞬時伸張部４０と、ＡＤＰＣＭ復号部４２と、選択部４３と、Ｄ／Ａ変換部４１とを備える。このうち、復調部５５は、周波数デインターリーブ部３４と、キャリア復調部３５と、内符号復号部３６と、外符号復号部３７と、エネルギー逆拡散部３８とから成る。なお、図２６においては、４系統のダイバーシティ（いわゆる空間ダイバーシティ）受信を行っているために、４つのＦＦＴ部３０を備えているが、これは一例であってＦＦＴ部は２系統でも１系統でも、適切なものを選択すればよい。また、既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２３２】
各構成要素について説明する。図２６において、ＦＦＴ部３０（３０１〜３０４）からコンシールメント部３９までの処理は、図２２の実施例２０と同一である。すなわち、受信後にデジタル化され、ＦＦＴ部３０（３０１〜３０４）でＦＦＴ処理を施された信号は、直接又は遅延器３１（３１１〜３１４）を介して復調部５５（５５１〜５５８）に入力される。復調部５５（５５１〜５５８）は、送信側で時間インターリーブが施されている場合は、時間デインターリーブ部（図示せず）に入力し、時間デインターリーブを行った後に周波数デインターリーブ部３４に入力される。周波数デインターリーブ部３４と、キャリア復調部３５と、内符号復号部３６と、外符号復号部３７と、エネルギー逆拡散部３８の処理に基づいて、エネルギー逆拡散部３８までの処理で復号したデータを比較・選択・合成部５３に出力するとともに、外符号復号部３７での復号処理に誤りが生じた場合に、「エラーフラグ」を比較・選択・合成部５３に出力する。
【０２３３】
比較・選択・合成部５３は、復調部５５（５５１〜５５８）から出力された「エラーフラグ」を利用して（又は利用せずに）、エネルギー逆拡散部３８までを経た各系統の信号（復調部５５からの出力信号）から品質の良い信号を選択し、必要に応じて信号の合成を行い、次いで、コンシールメント部３９によるコンシールメント処理を行い、データを瞬時伸張部４０及びＡＤＰＣＭ復号部４２に出力する。なお、連接符号ではない場合は、外符号復号部３７は省略してよい。
【０２３４】
瞬時伸張部４０は、実施例２０と同じく入力されたデジタル信号（圧縮されたデータ）を所定の圧伸則に基づいて瞬時伸張し、選択部４３に出力する。また、ＡＤＰＣＭ復号部４２は、実施例２２と同じく入力されたデジタル信号をＡＤＰＣＭ復号処理により元のビット数のデジタル信号に復号し、選択部４３に出力する。選択部４３は、図示しない外部からの信号により、瞬時伸張部４０で処理された伸張データと、ＡＤＰＣＭ復号部４２で処理された復号データのうち、送信側で選択したデータ圧縮手段に対応する処理を選択して、Ｄ／Ａ変換部４１に出力する。Ｄ／Ａ変換部４１は、伸張又は復号されたデジタルデータを、デジタル／アナログ変換し、アナログ音声信号を出力する。
【０２３５】
このように、実施例２４のＯＦＤＭ受信装置２１７が構成され、信号処理が行われる。
【実施例２５】
【０２３６】
図２７は、本発明の実施例２５に係るワイヤレスマイク用ＯＦＤＭ受信装置２１８の構成を示すブロック図である。図２６における実施例２４のＯＦＤＭ受信装置２１７と同じ構成ブロックは、実施例２４と同じ符号を付し、説明を簡略化する。
【０２３７】
実施例２５に係るワイヤレスマイク用ＯＦＤＭ受信装置２１８は、実施例２４のＯＦＤＭ受信装置２１７の構成と比較して、外符号復号部３７とエネルギー逆拡散部３８の順序が入れ替わっている点が相違する。
【０２３８】
図２７に示すように、ＯＦＤＭ受信装置２１８は、少なくとも１系統のＦＦＴ部３０（３０１〜３０４）と、遅延器３１（３１１〜３１４）と、復調部５６（５６１〜５６８）と、比較・選択・合成部５３と、コンシールメント部３９と、瞬時伸張部４０と、ＡＤＰＣＭ復号部４２と、選択部４３と、Ｄ／Ａ変換部４１とを備える。このうち、復調部５６は、周波数デインターリーブ部３４と、キャリア復調部３５と、内符号復号部３６と、エネルギー逆拡散部３８と、外符号復号部３７とから成る。既に説明したとおり、図では省略されているが、アンテナから受信された受信信号は、受信周波数変換部により中間周波数に変換され、Ａ／Ｄ変換部でデジタル信号に変換され、ガードインターバル除去処理がされた後、ＦＦＴ部３０に入力されることは、当該技術分野において自明のことである。
【０２３９】
各構成要素および時間デインターリーブ部（図示せず）、外符号復号部３７の省略については実施例２４と同じであり説明を省略する。
【０２４０】
なお、実施例８〜２５においては、瞬時伸張又はＡＤＰＣＭ復号処理によりデータの復元を行ったが、送信側でデータの圧縮がなければ、ＯＦＤＭ受信装置側においてこのような伸張・復号処理が不要であることは言うまでもない。
【実施例２６】
【０２４１】
図２８は、本発明の実施例２６に係るワイヤレスマイク用ＯＦＤＭ受信装置２１９の構成を示すブロック図である。実施例２６のＯＦＤＭ受信装置２１９は、実施例７のＯＦＤＭ送信装置１０７に対応した構成を有する受信装置であるが、ＯＦＤＭ信号の形式が同じであれば、実施例１〜６のＯＦＤＭ送信装置１０１〜１０６から送信したＯＦＤＭ信号を受信することもできる。さらに、実施例２６は、複数回送信された同一データの多数決判定を利用して、ノイズによる信号劣化を除去する受信装置である。
【０２４２】
図２８に示すように、ＯＦＤＭ受信装置２１９は、少なくとも１系統の受信系統を備えており、ガードインターバル除去部４４と、ＦＦＴ（Fast Fourier Transform）部３０と、波形等化部４５と、周波数デインターリーブ部３４と、キャリア復調部３５と、誤り訂正復号部４６と、エネルギー逆拡散部３８と、遅延器３１（３１１〜３１２）と、多数決判定部５８と、音声データ復元部４０，４２，４３と、Ｄ／Ａ変換部４１とから成る。なお、図では省略されているが、アンテナから受信された受信信号は、受信周波数変換部により中間周波数に変換され、Ａ／Ｄ変換部でデジタル信号に変換し、ガードインターバル除去部４４に入力されることは、当該技術分野において自明のことである。
【０２４３】
各構成要素について説明する。図１０ないし図２７における実施例８〜２５のＯＦＤＭ受信装置２０１〜２１８と同じ構成ブロックは、同じ符号を付し、説明を簡略化する。まず、ガードインターバル除去部４４は、デジタル信号に変換された受信信号から、ガードインターバルを除去し、有効シンボル信号を作成し、ＦＦＴ部３０に出力する。これは、実施例８〜２５においても行われていた処理を明示したものである。
【０２４４】
ＦＦＴ部３０は、ガードインターバルが除去された信号に対してＦＦＴ（Fast Fourier Transform：高速フーリエ変換）処理を施す。波形等化部４５は、伝送路の影響により変化した信号を、パイロット信号等を利用して伝送路の伝達関数を求め、この伝達関数の逆特性で処理することにより、本来の信号波形に戻す処理を行う。これは、実施例８〜２５においても行われていた処理を明示したものである。
【０２４５】
送信側で時間インターリーブが施されている場合は、時間デインターリーブ部（図示せず）に入力し、時間デインターリーブを行った後に周波数デインターリーブ部３４に入力される。周波数デインターリーブ部３４は、ＦＦＴ処理及び波形等化処理された信号に対して、周波数デインターリーブ処理を行い、周波数的に並び替えられたデータを元に戻す。
【０２４６】
キャリア復調部３５は、周波数デインターリーブ部３４から入力される信号に対して、キャリアごとに復調を行い、誤り訂正復号部４６に出力する。キャリア復調部３５は、その内部にデマッピング部３５１とビットデインターリーブ部３５２を備えており、デマッピング部３５１でＩ信号値とＱ信号値を得て、ビット単位のデータに復調した後、ビットデインターリーブ部３５２において、送信側のキャリア変調部１８においてビット単位で並べ替えたデータを、元の配列に戻す。
【０２４７】
誤り訂正復号部４６は、キャリア復調部３５から入力される信号に対して、例えば、ビタビ復号等の所定の復号化処理を行う。これは、実施例８〜２５においても行われていた内符号復号処理と実質的に等しい。
【０２４８】
次に、エネルギー逆拡散部３８は、エネルギー逆拡散を施して、元の信号に戻す。ここまでで、データの復調処理が終了する。なお、図には示されていないが、送信側で付加情報としてパリティビットを付加した場合は、そのパリティビットを利用した誤り訂正復号処理をさらに追加しても良い。
【０２４９】
エネルギー逆拡散部３８の出力信号は、遅延器３１（３１１〜３１２）を介して多数決判定部５８に送られる。ここでは、送信側からＯＦＤＭ信号（シンボル）が３回の繰り返し回数で送信されることを前提として、回路ブロックが構成されている。遅延器３１は、時間ダイバーシティとして複数回送信された信号のタイミング調整を行うために設けられており、最初に送られた信号は２段の遅延器３１（３１１〜３１２）を介して多数決判定部５８に送られ、２回目に送られた信号は１段の遅延器３１１を介して多数決判定部５８に送られ、３回目に送られた信号は直接多数決判定部５８に送られる。
【０２５０】
多数決判定部５８は、３回の繰り返しで送信された信号を比較し、仮に不一致がある場合は、多数決の原理で正しい情報を判定して、出力する。結果として、パルス性雑音の影響を受けていないＯＦＤＭ信号に基づいて音声信号を生成することとなる。
【０２５１】
音声データ復元部４０，４２，４３は、その符号からも明らかなように、これまで説明した各種の音声データの伸張・復号手段を総括的に表記したものである。すなわち、音声データ復元部は、瞬時伸張部４０であり、又は、ＡＤＰＣＭ復号部２５であり、又は、瞬時伸張部４０とＡＤＰＣＭ復号部４２と選択部４３から構成されるデータ伸張・復号手段が選択可能な復元部である。これらのいずれかの構成とすることができる。また、他の適切な音声データ復元手段を採用しても良い。音声データ復元部４０，４２，４３で復元された信号は、Ｄ／Ａ変換部４１に出力される。
【０２５２】
Ｄ／Ａ変換部４１は、伸張されたデジタルデータを、デジタル／アナログ変換し、アナログ音声信号を出力する。
【０２５３】
このように実施例２６のＯＦＤＭ受信装置によれば、時間ダイバーシティにより３回送信されたＯＦＤＭシンボル信号を復調処理した後、多数決判定を行うことにより、ノイズの無い音声出力を得ることができる。
【実施例２７】
【０２５４】
図２９は、本発明の実施例２７に係るワイヤレスマイク用ＯＦＤＭ受信装置２２０の構成を示すブロック図である。実施例２７のＯＦＤＭ受信装置２２０は、実施例７のＯＦＤＭ送信装置１０７に対応した構成を有する受信装置であるが、ＯＦＤＭ信号の形式が同じであれば、実施例１〜６のＯＦＤＭ送信装置１０１〜１０６から送信したＯＦＤＭ信号を受信することもできる。実施例２７のＯＦＤＭ受信装置２２０は、信号を複数ブランチ、すなわち、２系統のダイバーシティ（いわゆる空間ダイバーシティ）で受信する受信装置であり、さらに、複数回送信された同一データの多数決判定を利用する受信装置である。
【０２５５】
図２９に示すように、ＯＦＤＭ受信装置２２０は、２系統の受信系統を備えており、ガードインターバル除去部４４（４４１〜４４２）と、ＦＦＴ部３０（３０１〜３０２）と、遅延器３１（３１１〜３１４）と、最大比合成部４７（４７１〜４７３）と、復調部５７（５７１〜５７３）と、多数決判定部５８と、音声データ復元部４０，４２，４３と、Ｄ／Ａ変換部４１とから成る。復調部５７（５７１〜５７３）は、それぞれ、周波数デインターリーブ部３４と、キャリア復調部３５と、誤り訂正復号部４６と、エネルギー逆拡散部３８とからなる。なお、図では省略されているが、アンテナから受信された受信信号は、受信周波数変換部により中間周波数に変換され、Ａ／Ｄ変換部でデジタル信号に変換し、ガードインターバル除去部４４に入力されることは、当該技術分野において自明のことである。
【０２５６】
各構成要素について説明する。図２８における実施例２６のＯＦＤＭ受信装置２１９と同じ構成ブロックは、同じ符号を付し、説明を簡略化する。実施例２７も実施例２６と同様に、３回の繰り返し信号を受信する構成の装置である。
【０２５７】
まず、ガードインターバル除去部４４（４４１〜４４２）は、それぞれ、デジタル信号に変換された受信信号から、ガードインターバルを除去し、ＦＦＴ部３０（３０１〜３０２）に出力する。
【０２５８】
ＦＦＴ部３０（３０１〜３０２）でＦＦＴ処理された信号は、繰り返し番号ごとの各シンボルに分けられて、遅延器３１（３１１〜３１４）を介して最大比合成部４７（４７１〜４７３）に入力される。すなわち、最初に送信されてきたＯＦＤＭシンボル信号は、２段の遅延器３１（３１１〜３１４）を経て最大比合成部４７３に入力され、次に送信されてきたＯＦＤＭシンボル信号は、１段の遅延器３１（３１１、３１３）を経て最大比合成部４７２に入力され、３番目に送信されてきたＯＦＤＭシンボル信号は、直接最大比合成部４７１に入力され、３つの信号の同期をとる。
【０２５９】
最大比合成部４７（４７１〜４７３）は、２系統から得た同相の信号に基づいて最大比合成処理を行い、強度の強い信号を得て、復調部５７（５７１〜５７３）に出力する。
【０２６０】
復調部５７（５７１〜５７３）は、ＯＦＤＭシンボル信号の復調を行う。すなわち、送信側で時間インターリーブが施されている場合は、時間デインターリーブ部（図示せず）に入力し、時間デインターリーブを行った後に周波数デインターリーブ部３４に入力される。周波数デインターリーブ部３４で周波数デインターリーブ処理を行い、キャリア復調部３５において、デマッピング部３５１でＩ信号値とＱ信号値を得て、ビット単位のデータに復調した後、ビットデインターリーブ部３５２で、データを元の配列に戻す。
【０２６１】
さらに、誤り訂正復号部４６で、例えば、ビタビ復号等の所定の復号化処理を行い、エネルギー逆拡散部３８で、エネルギー逆拡散を施して、元の信号に戻す。ここまでで、データの復調処理が終了する。なお、図には示されていないが、送信側で付加情報としてパリティビットを付加した場合は、そのパリティビットを利用した誤り訂正復号処理をさらに追加しても良い。
【０２６２】
復調部５７（５７１〜５７３）の出力信号は、多数決判定部５８に送られ、多数決判定部５８は、３回の繰り返しで送信された信号を比較し、仮に不一致がある場合は、多数決の原理で正しい情報を判定して、出力する。
【０２６３】
音声データ復元部４０，４２，４３は、図２８と同様に、各種の音声データの伸張・復号手段を総括的に表記したものである。音声データ復元部４０，４２，４３で復元された信号は、Ｄ／Ａ変換部４１に出力される。Ｄ／Ａ変換部４１は、伸張されたデジタルデータを、デジタル／アナログ変換し、アナログ音声信号を出力する。
【０２６４】
このように実施例２７のＯＦＤＭ受信装置によれば、時間ダイバーシティにより３回送信されたＯＦＤＭシンボル信号を、２系統で受信して最大比合成した上で復調処理した後、多数決判定を行うことにより、ノイズの無い音声出力を得ることができる。
【０２６５】
図３０〜図３３は、実施例７に係るワイヤレスマイク用ＯＦＤＭ送信装置１０７（及び実施例２６，２７に係るＯＦＤＭ受信装置２１９，２２０）で用いられるパラメータの一例である。図３０は伝送帯域幅６００ｋＨｚの伝送モード６００ｋ−ｍｏｄｅ４、６００ｋ−ｍｏｄｅ３、図３１は伝送帯域幅６００ｋＨｚの伝送モード６００ｋ−ｍｏｄｅ２、６００ｋ−ｍｏｄｅ１、図３２は伝送帯域幅２８８ｋＨｚの伝送モード２８８ｋ−ｍｏｄｅ４、２８８ｋ−ｍｏｄｅ３、２８８ｋ−ｍｏｄｅ２、２８８ｋ−ｍｏｄｅ１、図３３は伝送帯域幅１９２ｋＨｚの伝送モード１９２ｋ−ｍｏｄｅ４、１９２ｋ−ｍｏｄｅ３、１９２ｋ−ｍｏｄｅ２のそれぞれの伝送パラメータを示している。
【０２６６】
例えば、図３０の伝送モード６００ｋ−ｍｏｄｅ４においては、情報圧縮率をそれぞれ１／２、１／３、１／４として、音声レート５７６ｋｂｐｓの２回送信、３８４ｋｂｐｓの３回送信、２８８ｋｂｐｓの４回送信を行うことができ（付加情報レートはいずれも９６ｋｂｐｓ）、且つ、そのとき伝送路符号化処理を、符号化率２／３、キャリア変調方法１６ＱＡＭ、ＦＦＴクロック周波数１．６３２ＭＨｚの共通化された伝送方式で送信できる。また、伝送モード６００ｋ−ｍｏｄｅ３においては、情報圧縮率をそれぞれ１／３、１／４、１／６として、音声レート３８４ｋｂｐｓの２回送信（付加情報レート１６８ｋｂｐｓ）、２８８ｋｂｐｓの３回送信（付加情報レート７２ｋｂｐｓ）、１９２ｋｂｐｓの４回送信（付加情報レート１６８ｋｂｐｓ）を行うことができ、且つ、そのとき伝送路符号化処理を、符号化率１／２、キャリア変調方法１６ＱＡＭ、ＦＦＴクロック周波数１．６３２ＭＨｚの共通化された伝送方式で送信できる。
【０２６７】
同様に、音声の情報圧縮率と、付加情報ビット数を調整することにより、伝送ビットレートを同一にし、２回送信、３回送信、４回送信等の多種類の時間ダイバーシティを、伝送路符号化部の処理を共通化して実行できる。したがって、送信回数（すなわち、情報源符号化処理）の切替を行うことにより、多種類の時間ダイバーシティが可能な送信装置（ラジオマイク）を実現することができる。
【０２６８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各ブロック等に含まれる機能等は論理的に矛盾しないように再配置可能であり、複数のブロック等を１つに組み合わせたり、或いは分割したりすることが可能である。
【符号の説明】
【０２６９】
１０１〜１０６  ワイヤレスマイク用ＯＦＤＭ送信装置
２０１〜２１８  ワイヤレスマイク用ＯＦＤＭ受信装置
１１  Ａ／Ｄ変換部
１２  瞬時圧縮部
１３  エネルギー拡散部
１４  外符号符号化部
１５  内符号符号化部
１６  データ蓄積部
１７  データ抽出部
１８  キャリア変調部
１９  周波数インターリーブ部
２０  ＯＦＤＭフレーム構成部
２１  ＩＦＦＴ部
２２  Ｄ／Ａ変換部
２３  周波数変換部
２４  アンテナ
２５  ＡＤＰＣＭ符号化部
２６  選択部
２７  多重化部
２８  誤り訂正符号化部
２９  ガードインターバル付加部
３０  ＦＦＴ部
３１  遅延器
３２  信号品質算出部
３３  比較・選択・合成部
３４  周波数デインターリーブ部
３５  キャリア復調部
３６  内符号復号部
３７  外符号復号部
３８  エネルギー逆拡散部
３９  コンシールメント部
４０  瞬時伸張部
４１  Ｄ／Ａ変換部
４２  ＡＤＰＣＭ復号部
４３  選択部
４４  ガードインターバル除去部
４５  波形等化部
４６  誤り訂正復号部
４７  最大比合成部
５０〜５２  復調部
５３  比較・選択・合成部
５４〜５７  復調部
５８  多数決判定部
【図１】
2015039159.tif 000003
【図２】
2015039159.tif 000004
【図３】
2015039159.tif 000005
【図４】
2015039159.tif 000006
【図５】
2015039159.tif 000007
【図６】
2015039159.tif 000008
【図７】
2015039159.tif 000009
【図８】
2015039159.tif 000010
【図９】
2015039159.tif 000011
【図１０】
2015039159.tif 000012
【図１１】
2015039159.tif 000013
【図１２】
2015039159.tif 000014
【図１３】
2015039159.tif 000015
【図１４】
2015039159.tif 000016
【図１５】
2015039159.tif 000017
【図１６】
2015039159.tif 000018
【図１７】
2015039159.tif 000019
【図１８】
2015039159.tif 000020
【図１９】
2015039159.tif 000021
【図２０】
2015039159.tif 000022
【図２１】
2015039159.tif 000023
【図２２】
2015039159.tif 000024
【図２３】
2015039159.tif 000025
【図２４】
2015039159.tif 000026
【図２５】
2015039159.tif 000027
【図２６】
2015039159.tif 000028
【図２７】
2015039159.tif 000029
【図２８】
2015039159.tif 000030
【図２９】
2015039159.tif 000031
【図３０】
2015039159.tif 000032
【図３１】
2015039159.tif 000033
【図３２】
2015039159.tif 000034
【図３３】
2015039159.tif 000035
【図３４】
2015039159.tif 000036